(57)【要約】  この出願は、チャネル推定方法、参照信号送出方法、装置及びシステムを開示し、通信分野に属する。当該方法は、第１の参照信号の第１のプリコーディング重み及び第２の参照信号の第２のプリコーディング重みが同じであるとき、第１のネットワークデバイスにより、第１のパターンに従って第１の時間単位内に第１の参照信号を受信し、第２のパターンに従って第２の時間単位内に第２の参照信号を受信するステップと、第１のネットワークデバイスにより、第１の参照信号及び第２の参照信号に基づいて、第２の時間単位内にチャネルに対してチャネル推定を実行するステップとを含む。これは、より良いチャネル推定効果を取得するために、より多くのリソースが参照信号を送出するために使用されるので、無線リソースオーバーヘッドが増加し、通信システムのスループットが低減されるという問題を解決し、チャネル推定効果を最適化し、無線リソースオーバーヘッドを低減し、通信システムの性能を改善する。
2019528650.tif 000002
【特許請求の範囲】
【請求項１】
チャネル推定方法であって、
第１の参照信号の第１のプリコーディング重み及び第２の参照信号の第２のプリコーディング重みが同じであるとき、第１のネットワークデバイスにより、第１のパターンに従って第１の時間単位内に前記第１の参照信号を受信し、第２のパターンに従って第２の時間単位内に前記第２の参照信号を受信するステップであり、前記第１の参照信号はチャネル測定のための参照信号であり、前記第２の参照信号は復調のための参照信号である、ステップと、
前記第１のネットワークデバイスにより、前記第１の参照信号及び前記第２の参照信号に基づいて、前記第２の時間単位内にチャネルに対してチャネル推定を実行するステップと
を含み、
前記第２のパターンにおいて前記第２の参照信号により占有される時間周波数リソースの数は、第３のパターンにおいて前記第２の参照信号により占有される時間周波数リソースの数未満であり、前記第３のパターンは、前記第１のプリコーディング重み及び前記第２のプリコーディング重みが異なるときに使用される、前記第２の時間単位内の前記第２の参照信号の時間周波数分布パターンである、方法。
【請求項２】
前記第２のパターンにおける前記時間周波数リソースは、前記第３のパターンにおける前記時間周波数リソースの一部である、請求項１に記載の方法。
【請求項３】
前記第１の時間単位はサブフレームであり、前記第２の時間単位は他のサブフレームであり、前記サブフレームは第１のスロット及び第２のスロットを含む、請求項１に記載の方法。
【請求項４】
前記第２の時間単位内で、
前記第２のパターンは前記第１のスロット及び前記第２のスロットの中にあるか、或いは
前記第２のパターンは、前記第１のスロット及び前記第２のスロットのうち１つの中にある、請求項３に記載の方法。
【請求項５】
前記第１の時間単位は、複数の直交周波数分割多重OFDMシンボルを含むスロットであり、前記第２の時間単位は、複数の直交周波数分割多重OFDMシンボルを含む他のスロットであるか、或いは
前記第１の時間単位は、２つのOFDMシンボルを含む時間単位であり、前記第２の時間単位は、２つのOFDMシンボルを含む時間単位であるか、或いは
前記第１の時間単位は、３つ又は４つのOFDMシンボルを含む時間単位であり、前記第２の時間単位は、３つ又は４つのOFDMシンボルを含む他の時間単位である、請求項１に記載の方法。
【請求項６】
前記第１の時間単位は前記第２の時間単位の前である、請求項１乃至５のうちいずれか１項に記載の方法。
【請求項７】
前記第１のパターンにおける時間周波数リソースは、前記第３のパターンにおける前記時間周波数リソースの一部であり、前記第１のパターンと前記第２のパターンとは重複しない、請求項１乃至６のうちいずれか１項に記載の方法。
【請求項８】
前記第１のパターンにおける時間周波数リソースは、第４のパターンにおける時間周波数リソースの一部であり、
前記第４のパターンは、前記第１のプリコーディング重み及び前記第２のプリコーディング重みが異なるときに使用される、前記第１の時間単位内の前記第１の参照信号の時間周波数分布パターンである、請求項１乃至６のうちいずれか１項に記載の方法。
【請求項９】
前記第１のネットワークデバイスにより、設定情報を受信するステップであり、前記設定情報は、前記第１のプリコーディング重み及び前記第２のプリコーディング重みが同じであるか否かを示すために使用される、ステップを更に含む、請求項１乃至８のうちいずれか１項に記載の方法。
【請求項１０】
参照信号送出方法であって、
第１の参照信号の第１のプリコーディング重み及び第２の参照信号の第２のプリコーディング重みが同じであるとき、第２のネットワークデバイスにより、第１のパターンに従って第１の時間単位内に前記第１の参照信号を送出するステップであり、前記第１の参照信号はチャネル測定のための参照信号である、ステップと、
前記第２のネットワークデバイスにより、第２のパターンに従って第２の時間単位内に前記第２の参照信号を送出するステップであり、前記第２の参照信号は復調のための参照信号である、ステップと
を含み、
前記第１の参照信号及び前記第２の参照信号は、前記第２の時間単位内にチャネルに対するチャネル推定に使用され、前記第２のパターンにおいて前記第２の参照信号により占有される時間周波数リソースの数は、第３のパターンにおいて前記第２の参照信号により占有される時間周波数リソースの数未満であり、前記第３のパターンは、前記第１のプリコーディング重み及び前記第２のプリコーディング重みが異なるときに使用される、前記第２の時間単位内の前記第２の参照信号の時間周波数分布パターンである、方法。
【請求項１１】
前記第２のパターンにおける前記時間周波数リソースは、前記第３のパターンにおける前記時間周波数リソースの一部である、請求項１０に記載の方法。
【請求項１２】
前記第１の時間単位はサブフレームであり、前記第２の時間単位は他のサブフレームであり、前記サブフレームは第１のスロット及び第２のスロットを含む、請求項１０に記載の方法。
【請求項１３】
前記第２の時間単位内で、
前記第２のパターンは前記第１のスロット及び前記第２のスロットの中にあるか、或いは
前記第２のパターンは、前記第１のスロット及び前記第２のスロットのうち１つの中にある、請求項１２に記載の方法。
【請求項１４】
前記第１の時間単位は、複数の直交周波数分割多重OFDMシンボルを含むスロットであり、前記第２の時間単位は、複数の直交周波数分割多重OFDMシンボルを含む他のスロットであるか、或いは
前記第１の時間単位は、２つのOFDMシンボルを含む時間単位であり、前記第２の時間単位は、２つのOFDMシンボルを含む時間単位であるか、或いは
前記第１の時間単位は、３つ又は４つのOFDMシンボルを含む時間単位であり、前記第２の時間単位は、３つ又は４つのOFDMシンボルを含む他の時間単位である、請求項１０に記載の方法。
【請求項１５】
前記第１の時間単位は前記第２の時間単位の前である、請求項１０乃至１４のうちいずれか１項に記載の方法。
【請求項１６】
前記第１のパターンにおける時間周波数リソースは、前記第３のパターンにおける前記時間周波数リソースの一部であり、前記第１のパターンと前記第２のパターンとは重複しない、請求項１０乃至１５のうちいずれか１項に記載の方法。
【請求項１７】
前記第１のパターンにおける時間周波数リソースは、第４のパターンにおける時間周波数リソースの一部であり、
前記第４のパターンは、前記第１のプリコーディング重み及び前記第２のプリコーディング重みが異なるときに使用される、前記第１の時間単位内の前記第１の参照信号の時間周波数分布パターンである、請求項１０乃至１５のうちいずれか１項に記載の方法。
【請求項１８】
前記第２のネットワークデバイスにより、設定情報を第１のネットワークデバイスに送出するステップであり、前記設定情報は、前記第１のプリコーディング重み及び前記第２のプリコーディング重みが同じであるか否かを示すために使用される、ステップを更に含む、請求項１０乃至１７のうちいずれか１項に記載の方法。
【請求項１９】
チャネル推定装置であって、当該装置は、通信コンポーネントと、プロセッサとを含み、
前記プロセッサは、第１の参照信号の第１のプリコーディング重み及び第２の参照信号の第２のプリコーディング重みが同じであるとき、前記通信コンポーネントを使用することにより、第１のパターンに従って第１の時間単位内に前記第１の参照信号を受信し、前記通信コンポーネントを使用することにより、第２のパターンに従って第２の時間単位内に前記第２の参照信号を受信するように構成され、前記第１の参照信号はチャネル測定のための参照信号であり、前記第２の参照信号は復調のための参照信号であり、
前記プロセッサは、前記第１の参照信号及び前記第２の参照信号に基づいて、前記第２の時間単位内にチャネルに対してチャネル推定を実行するように更に構成され、
前記第２のパターンにおいて前記第２の参照信号により占有される時間周波数リソースの数は、第３のパターンにおいて前記第２の参照信号により占有される時間周波数リソースの数未満であり、前記第３のパターンは、前記第１のプリコーディング重み及び前記第２のプリコーディング重みが異なるときに使用される、前記第２の時間単位内の前記第２の参照信号の時間周波数分布パターンである、装置。
【請求項２０】
前記第２のパターンにおける前記時間周波数リソースは、前記第３のパターンにおける前記時間周波数リソースの一部である、請求項１９に記載の装置。
【請求項２１】
前記第１の時間単位はサブフレームであり、前記第２の時間単位は他のサブフレームであり、前記サブフレームは第１のスロット及び第２のスロットを含む、請求項１９に記載の装置。
【請求項２２】
前記第２の時間単位内で、
前記第２のパターンは前記第１のスロット及び前記第２のスロットの中にあるか、或いは
前記第２のパターンは、前記第１のスロット及び前記第２のスロットのうち１つの中にある、請求項２１に記載の装置。
【請求項２３】
前記第１の時間単位は、複数の直交周波数分割多重OFDMシンボルを含むスロットであり、前記第２の時間単位は、複数の直交周波数分割多重OFDMシンボルを含む他のスロットであるか、或いは
前記第１の時間単位は、２つのOFDMシンボルを含む時間単位であり、前記第２の時間単位は、２つのOFDMシンボルを含む時間単位であるか、或いは
前記第１の時間単位は、３つ又は４つのOFDMシンボルを含む時間単位であり、前記第２の時間単位は、３つ又は４つのOFDMシンボルを含む他の時間単位である、請求項１９に記載の装置。
【請求項２４】
前記第１の時間単位は前記第２の時間単位の前である、請求項１９乃至２３のうちいずれか１項に記載の装置。
【請求項２５】
前記第１のパターンにおける時間周波数リソースは、前記第３のパターンにおける前記時間周波数リソースの一部であり、前記第１のパターンと前記第２のパターンとは重複しない、請求項１９乃至２４のうちいずれか１項に記載の装置。
【請求項２６】
前記第１のパターンにおける時間周波数リソースは、第４のパターンにおける時間周波数リソースの一部であり、
前記第４のパターンは、前記第１のプリコーディング重み及び前記第２のプリコーディング重みが異なるときに使用される、前記第１の時間単位内の前記第１の参照信号の時間周波数分布パターンである、請求項１９乃至２４のうちいずれか１項に記載の装置。
【請求項２７】
前記プロセッサは、前記通信コンポーネントを使用することにより、設定情報を受信するように更に構成され、前記設定情報は、前記第１のプリコーディング重み及び前記第２のプリコーディング重みが同じであるか否かを示すために使用される、請求項１９乃至２６のうちいずれか１項に記載の装置。
【請求項２８】
参照信号送出装置であって、当該装置は、プロセッサと、通信コンポーネントとを含み、
前記プロセッサは、第１の参照信号の第１のプリコーディング重み及び第２の参照信号の第２のプリコーディング重みが同じであるとき、前記通信コンポーネントを使用することにより、第１のパターンに従って第１の時間単位内に前記第１の参照信号を送出し、前記第１の参照信号はチャネル測定のための参照信号であり、前記通信コンポーネントを使用することにより、第２のパターンに従って第２の時間単位内に前記第２の参照信号を送出し、前記第２の参照信号は復調のための参照信号である、ように構成され、
前記第１の参照信号及び前記第２の参照信号は、前記第２の時間単位内にチャネルに対するチャネル推定に使用され、前記第２のパターンにおいて前記第２の参照信号により占有される時間周波数リソースの数は、第３のパターンにおいて前記第２の参照信号により占有される時間周波数リソースの数未満であり、前記第３のパターンは、前記第１のプリコーディング重み及び前記第２のプリコーディング重みが異なるときに使用される、前記第２の時間単位内の前記第２の参照信号の時間周波数分布パターンである、装置。
【請求項２９】
前記第２のパターンにおける前記時間周波数リソースは、前記第３のパターンにおける前記時間周波数リソースの一部である、請求項２８に記載の装置。
【請求項３０】
前記第１の時間単位はサブフレームであり、前記第２の時間単位は他のサブフレームであり、前記サブフレームは第１のスロット及び第２のスロットを含む、請求項２８に記載の装置。
【請求項３１】
前記第２の時間単位内で、
前記第２のパターンは前記第１のスロット及び前記第２のスロットの中にあるか、或いは
前記第２のパターンは、前記第１のスロット及び前記第２のスロットのうち１つの中にある、請求項３０に記載の装置。
【請求項３２】
前記第１の時間単位は、複数の直交周波数分割多重OFDMシンボルを含むスロットであり、前記第２の時間単位は、複数の直交周波数分割多重OFDMシンボルを含む他のスロットであるか、或いは
前記第１の時間単位は、２つのOFDMシンボルを含む時間単位であり、前記第２の時間単位は、２つのOFDMシンボルを含む時間単位であるか、或いは
前記第１の時間単位は、３つ又は４つのOFDMシンボルを含む時間単位であり、前記第２の時間単位は、３つ又は４つのOFDMシンボルを含む他の時間単位である、請求項２８に記載の装置。
【請求項３３】
前記第１の時間単位は前記第２の時間単位の前である、請求項２８又は３２に記載の装置。
【請求項３４】
前記第１のパターンにおける時間周波数リソースは、前記第３のパターンにおける前記時間周波数リソースの一部であり、前記第１のパターンと前記第２のパターンとは重複しない、請求項２８乃至３３のうちいずれか１項に記載の装置。
【請求項３５】
前記第１のパターンにおける時間周波数リソースは、第４のパターンにおける時間周波数リソースの一部であり、
前記第４のパターンは、前記第１のプリコーディング重み及び前記第２のプリコーディング重みが異なるときに使用される、前記第１の時間単位内の前記第１の参照信号の時間周波数分布パターンである、請求項２８乃至３３のうちいずれか１項に記載の装置。
【請求項３６】
前記プロセッサは、前記通信コンポーネントを使用することにより、設定情報を第１のネットワークデバイスに送出するように更に構成され、前記設定情報は、前記第１のプリコーディング重み及び前記第２のプリコーディング重みが同じであるか否かを示すために使用される、請求項３３乃至３５のうちいずれか１項に記載の装置。
【請求項３７】
チャネル推定システムであって、当該システムは、第１のネットワークデバイスと、第２のネットワークデバイスとを含み、
前記第１のネットワークデバイスは、請求項１９乃至２７のうちいずれか１項に記載のチャネル推定装置を含み、
前記第２のネットワークデバイスは、請求項２８乃至３６のうちいずれか１項に記載の参照信号送出装置を含む、システム。
【発明の詳細な説明】
【技術分野】
【０００１】
［関連出願への相互参照］
この出願は、「CHANNEL  ESTIMATION  METHOD,  REFERENCE  SIGNAL  SENDING  Method,  APPARATUS,  AND  SYSTEM」という名称で2016年8月31日に中国特許庁に出願された中国特許出願第201610797520.9号の優先権を主張し、その全内容を参照により援用する。
【０００２】
［技術分野］
この出願は通信分野に関し、特にチャネル推定方法、参照信号送出方法、装置及びシステムに関する。
【背景技術】
【０００３】
ロングタームエボリューション（英文：Long  Term  Evolution,  略称：LTE）システムでは、復調参照信号（英文：Demodulation  Reference  Signal,  略称：DMRS）は、基地局によりユーザ装置（英文：User  Equipment,  略称：UE）に送出される下りリンク参照信号である。UEは、DMRSに基づいて物理リソースブロック（英文：Physical  Resource  Block,  略称：PRB）に対してチャネル推定を実行し、チャネル推定結果に基づいて物理リソースブロック上のデータを復調し得る。
【０００４】
DMRSは、比較的良いチャネル推定効果を取得するために、比較的高密度の方式で送信される必要がある。LTE仕様では、DMRSは、１つの物理リソースブロック内で２つの二者択一の時間周波数分布パターン（英文：pattern）を有する。１つのPRBは２つのスロットを含む。各スロットは、時間領域次元における7個又は6個のシンボルと、周波数領域次元における12個のサブキャリアとを含む。DMRSの第１のパターンは以下の通りである。DMRSは時間領域次元における各スロットの最後の２つのシンボルを占有し、周波数領域次元におけるサブキャリア1、6及び11を占有する。DMRSの第２のパターンは以下の通りである。DMRSは２つのグループに分割され、それぞれ時間領域次元における各スロットの最後の２つのシンボルを占有する。第１のグループのDMRSは周波数領域次元におけるサブキャリア1、6及び11を占有し、第２のグループのDMRSは周波数領域次元におけるサブキャリア0、5及び10を占有する。
【０００５】
より良いチャネル推定効果が取得される必要がある場合、DMRSは、通常では、より多くの時間周波数リソース上で送出される必要がある。しかし、これは、更なる無線リソースオーバーヘッドをもたらし、通信チャネルのスループットを低減する。
【発明の概要】
【０００６】
より良いチャネル推定効果を取得するために、より多くのリソースが参照信号を送出するために使用されるので、無線リソースオーバーヘッドが増加し、通信システムのスループットが低減されるという問題を解決するために、この出願の実施例は、チャネル推定方法、参照信号送出方法、装置及びシステムを提供する。技術的解決策は以下の通りである。
【０００７】
第１の態様によれば、この出願の実施例はチャネル推定方法を提供し、当該方法は、第１の参照信号の第１のプリコーディング重み及び第２の参照信号の第２のプリコーディング重みが同じであるとき、第１のネットワークデバイスにより、第１のパターンに従って第１の時間単位内に第１の参照信号を受信し、第２のパターンに従って第２の時間単位内に第２の参照信号を受信するステップであり、第１の参照信号はチャネル測定のための参照信号であり、第２の参照信号は復調のための参照信号である、ステップと、第１のネットワークデバイスにより、第１の参照信号及び第２の参照信号に基づいて、第２の時間単位内にチャネルに対してチャネル推定を実行するステップとを含み、第２のパターンにおいて第２の参照信号により占有される時間周波数リソースの数は、第３のパターンにおいて第２の参照信号により占有される時間周波数リソースの数未満であり、第３のパターンは、第１のプリコーディング重み及び第２のプリコーディング重みが異なるときに使用される、第２の時間単位内の第２の参照信号の時間周波数分布パターンである。
【０００８】
この出願において提供されるチャネル推定方法によれば、第１のプリコーディング重み及び第２のプリコーディング重みが同じであるとき、第２のネットワークデバイスは、第１のパターンに従って第１の時間単位内に第１の参照信号を送出し、第２のパターンに従って第２の時間単位内に第２の参照信号を送出し、第１のネットワークデバイスが、第１のプリコーディング重み及び第２のプリコーディング重みが同じであると決定したとき、第１のネットワークデバイスは、異なるパターンに従って異なる時間単位内に第１の参照信号及び第２の参照信号を受信し、次に、第１の参照信号及び第２の参照信号に基づいて、第２の時間単位内にチャネルに対してチャネル推定を実行する。それぞれ第１のパターン及び第２のパターンに従って受信される第１の参照信号及び第２の参照信号により占有されるリソースは、第３のパターン及び第４のパターンが使用されるときに占有されるリソースより少ないので、通信システムのスループットが確保でき、一方で、チャネル推定効果が最適化され、無線リソースオーバーヘッドが低減され、通信システムの性能が改善される。
【０００９】
第１の態様の第１の可能な実現方式を参照して、第１の態様の第２の可能な実現方式では、第２のパターンにおける時間周波数リソースは、第３のパターンにおける時間周波数リソースの一部である。
【００１０】
第１の態様の第１の可能な実現方式を参照して、第１の態様の第３の可能な実現方式では、第１の時間単位はサブフレームであり、第２の時間単位は他のサブフレームであり、サブフレームは第１のスロット及び第２のスロットを含む。
【００１１】
第１の態様の第３の可能な実現方式を参照して、第１の態様の第４の可能な実現方式では、第２のパターンは第１のスロット及び第２のスロットの中にあるか、或いは第２のパターンは、第１のスロット及び第２のスロットのうち１つの中にある。
【００１２】
第１の態様の第３の可能な実現方式を参照して、第１の態様の第５の可能な実現方式では、第１の時間単位は、複数の直交周波数分割多重OFDMシンボルを含むスロットであり、第２の時間単位は、複数の直交周波数分割多重OFDMシンボルを含む他のスロットであるか、或いは第１の時間単位は、２つのOFDMシンボルを含む時間単位であり、第２の時間単位は、２つのOFDMシンボルを含む時間単位であるか、或いは第１の時間単位は、３つ又は４つのOFDMシンボルを含む時間単位であり、第２の時間単位は、３つ又は４つのOFDMシンボルを含む他の時間単位である。
【００１３】
第１の態様の第１の可能な実現方式、第１の態様の第２の可能な実現方式、第１の態様の第３の可能な実現方式、第１の態様の第４の可能な実現方式又は第１の態様の第５の可能な実現方式を参照して、第１の態様の第６の可能な実現方式では、第１の時間単位は第２の時間単位の前である。
【００１４】
第１の態様の第１の可能な実現方式、第１の態様の第２の可能な実現方式、第１の態様の第３の可能な実現方式、第１の態様の第４の可能な実現方式、第１の態様の第５の可能な実現方式又は第１の態様の第６の可能な実現方式を参照して、第１の態様の第７の可能な実現方式では、第１のパターンにおける時間周波数リソースは、第３のパターンにおける時間周波数リソースの一部であり、第１のパターンと第２のパターンとは重複しない。
【００１５】
第１の態様の第１の可能な実現方式、第１の態様の第２の可能な実現方式、第１の態様の第３の可能な実現方式、第１の態様の第４の可能な実現方式、第１の態様の第５の可能な実現方式又は第１の態様の第６の可能な実現方式を参照して、第１の態様の第８の可能な実現方式では、第１のパターンにおける時間周波数リソースは、第４のパターンにおける時間周波数リソースの一部であり、第４のパターンは、第１のプリコーディング重み及び第２のプリコーディング重みが異なるときに使用される、第１の時間単位内の第１の参照信号の時間周波数分布パターンである。
【００１６】
第１の態様の第１の可能な実現方式、第１の態様の第２の可能な実現方式、第１の態様の第３の可能な実現方式、第１の態様の第４の可能な実現方式、第１の態様の第５の可能な実現方式、第１の態様の第６の可能な実現方式、第１の態様の第７の可能な実現方式又は第１の態様の第８の可能な実現方式を参照して、第１の態様の第９の可能な実現方式では、当該方法は、第１のネットワークデバイスにより、設定情報を受信するステップであり、設定情報は、第１のプリコーディング重み及び第２のプリコーディング重みが同じであるか否かを示すために使用される、ステップを更に含む。
【００１７】
第２の態様によれば、この出願は参照信号送出方法を提供し、当該方法は、第１の参照信号の第１のプリコーディング重み及び第２の参照信号の第２のプリコーディング重みが同じであるとき、第２のネットワークデバイスにより、第１のパターンに従って第１の時間単位内に第１の参照信号を送出するステップであり、第１の参照信号はチャネル測定のための参照信号である、ステップと、第２のネットワークデバイスにより、第２のパターンに従って第２の時間単位内に第２の参照信号を送出するステップであり、第２の参照信号は復調のための参照信号である、ステップとを含み、第１の参照信号及び第２の参照信号は、第２の時間単位内にチャネルに対するチャネル推定に使用され、第２のパターンにおいて第２の参照信号により占有される時間周波数リソースの数は、第３のパターンにおいて第２の参照信号により占有される時間周波数リソースの数未満であり、第３のパターンは、第１のプリコーディング重み及び第２のプリコーディング重みが異なるときに使用される、第２の時間単位内の第２の参照信号の時間周波数分布パターンである。
【００１８】
この出願において提供される参照信号送出方法によれば、第１のプリコーディング重み及び第２のプリコーディング重みが同じであるとき、第２のネットワークデバイスは、第１のパターンに従って第１の時間単位内に第１の参照信号を送出し、第２のパターンに従って第２の時間単位内に第２の参照信号を送出する。これは、より良いチャネル推定効果を取得するために、より多くのリソースが参照信号を送出するために使用されるので、無線リソースオーバーヘッドが増加し、通信システムのスループットが低減されるという問題を解決し、チャネル推定効果を最適化し、無線リソースオーバーヘッドを低減し、通信システムの性能を改善する。
【００１９】
第２の態様の第１の可能な実現方式〜第８の可能な実現方式について、第１の態様の第１の可能な実現方式〜第８の可能な実現方式を参照する。
【００２０】
第２の態様の第１の可能な実現方式、第２の態様の第２の可能な実現方式、第２の態様の第３の可能な実現方式、第２の態様の第４の可能な実現方式、第２の態様の第５の可能な実現方式、第２の態様の第６の可能な実現方式、第２の態様の第７の可能な実現方式又は第２の態様の第８の可能な実現方式を参照して、第２の態様の第９の可能な実現方式では、当該方法は、第２のネットワークデバイスにより、設定情報を第１のネットワークデバイスに送出するステップであり、設定情報は、第１のプリコーディング重み及び第２のプリコーディング重みが同じであるか否かを示すために使用される、ステップを更に含む。
【００２１】
第３の態様によれば、この出願はチャネル推定装置を提供し、チャネル推定装置は少なくとも１つのユニットを含み、少なくとも１つのユニットは、第１の態様又は第１の態様の可能な実現方式のうちいずれか１つによるチャネル推定方法を実現するように構成される。
【００２２】
第４の態様によれば、この出願は参照信号送出装置を提供し、参照信号送出装置は少なくとも１つのユニットを含み、少なくとも１つのユニットは、第１の態様又は第１の態様の可能な実現方式のうちいずれか１つによる参照信号送出方法を実現するように構成される。
【００２３】
第５の態様によれば、この出願は第１のネットワークデバイスを提供し、第１のネットワークデバイスは、プロセッサと、メモリと、通信コンポーネントとを含む。プロセッサは、１つ以上の命令を記憶するように構成され、命令は、プロセッサにより実行されるように指示される。プロセッサは、第１の態様又は第１の態様の可能な実現方式のうちいずれか１つによるチャネル推定方法を実現するように構成される。通信コンポーネントは、参照信号を受信及び復調するように構成される。
【００２４】
第６の態様によれば、この出願は第２のネットワークデバイスを提供し、第２のネットワークデバイスは、プロセッサと、メモリと、通信コンポーネントとを含む。プロセッサは、１つ以上の命令を記憶するように構成され、命令は、プロセッサにより実行されるように指示される。プロセッサは、第２の態様又は第２の態様の可能な実現方式のうちいずれか１つによる参照信号送出方法を実現するように構成される。通信コンポーネントは、参照信号を送出するように構成される。
【００２５】
第７の態様によれば、この出願はチャネル推定装置を提供する。当該装置は、プロセッサと、メモリとを含む。メモリは、少なくとも１つの命令、少なくとも１つのプログラム、コードセット又は命令セットを記憶し、少なくとも１つの命令、少なくとも１つのプログラム、コードセット又は命令セットは、第１の態様におけるチャネル推定方法を実現するように、プロセッサによりロード及び実行される。
【００２６】
第８の態様によれば、この出願はコンピュータ読み取り可能記憶媒体を提供する。記憶媒体は、少なくとも１つの命令、少なくとも１つのプログラム、コードセット又は命令セットを記憶し、少なくとも１つの命令、少なくとも１つのプログラム、コードセット又は命令セットは、第１の態様におけるチャネル推定方法を実現するように、プロセッサによりロード及び実行される。
【００２７】
第９の態様によれば、この出願は参照信号送出装置を提供する。当該装置は、プロセッサと、メモリとを含む。メモリは、少なくとも１つの命令、少なくとも１つのプログラム、コードセット又は命令セットを記憶し、少なくとも１つの命令、少なくとも１つのプログラム、コードセット又は命令セットは、第２の態様における参照信号送出方法を実現するように、プロセッサによりロード及び実行される。
【００２８】
第１０の態様によれば、この出願はコンピュータ読み取り可能記憶媒体を提供する。記憶媒体は、少なくとも１つの命令、少なくとも１つのプログラム、コードセット又は命令セットを記憶し、少なくとも１つの命令、少なくとも１つのプログラム、コードセット又は命令セットは、第２の態様における参照信号送出方法を実現するように、プロセッサによりロード及び実行される。
【００２９】
第１のプリコーディング重み及び第２のプリコーディング重みが同じであるとき、第２のネットワークデバイスは、第１のパターンに従って第１の時間単位内に第１の参照信号を送出し、第２のパターンに従って第２の時間単位内に第２の参照信号を送出する。第１のネットワークデバイスが、第１のプリコーディング重み及び第２のプリコーディング重みが同じであると決定したとき、第１のネットワークデバイスは、異なるパターンに従って異なる時間単位内に第１の参照信号及び第２の参照信号を受信し、次に、第１の参照信号及び第２の参照信号に基づいて、第２の時間単位内にチャネルに対して共同チャネル推定を実行する。それぞれ第１のパターン及び第２のパターンに従って受信される第１の参照信号及び第２の参照信号により占有されるリソースは、共同チャネル推定が実行されないときに使用される第３のパターン及び第４のパターンにより占有されるリソースより少ないので、通信システムのスループットが確保でき、一方で、チャネル推定効果が最適化され、無線リソースオーバーヘッドが低減され、通信システムの性能が改善される。
【図面の簡単な説明】
【００３０】
【図１】この出願の実施例によるチャネル推定システムの概略構成図である。
【図２】この出願の実施例による第１のネットワークデバイスの概略構成図である。
【図３】この出願の実施例による第２のネットワークデバイスの概略構成図である。
【図４Ａ】この出願の実施例による第３のパターンの概略図である。
【図４Ｂ】この出願の実施例による第３のパターンの概略図である。
【図４Ｃ】この出願の実施例による第３のパターンの概略図である。
【図４Ｄ】この出願の実施例による第３のパターンの概略図である。
【図５Ａ】この出願の実施例による第４のパターンの概略図である。
【図５Ｂ】この出願の実施例による第４のパターンの概略図である。
【図６】この出願の実施例によるチャネル推定方法のフローチャートである。
【図７Ａ】この出願の実施例による第２のパターンの概略図である。
【図７Ｂ】この出願の実施例による第２のパターンの概略図である。
【図７Ｃ】この出願の実施例による第２のパターンの概略図である。
【図７Ｄ】この出願の実施例による第２のパターンの概略図である。
【図７Ｅ】この出願の実施例による第２のパターンの概略図である。
【図７Ｆ】この出願の実施例による第２のパターンの概略図である。
【図７Ｇ】この出願の実施例による第２のパターンの概略図である。
【図７Ｈ】この出願の実施例による第２のパターンの概略図である。
【図７Ｉ】この出願の実施例による第２のパターンの概略図である。
【図７Ｊ】この出願の実施例による第２のパターンの概略図である。
【図７Ｋ】この出願の実施例による第２のパターンの概略図である。
【図７Ｌ】この出願の実施例による第２のパターンの概略図である。
【図７Ｍ】この出願の実施例による第２のパターンの概略図である。
【図７Ｎ】この出願の実施例による第２のパターンの概略図である。
【図７Ｏ】この出願の実施例による第２のパターンの概略図である。
【図７Ｐ】この出願の実施例による第２のパターンの概略図である。
【図７Ｑ】この出願の実施例による第２のパターンの概略図である。
【図７Ｒ】この出願の実施例による第２のパターンの概略図である。
【図７Ｓ】この出願の実施例による第２のパターンの概略図である。
【図７Ｔ】この出願の実施例による第２のパターンの概略図である。
【図７Ｕ】この出願の実施例による第２のパターンの概略図である。
【図７Ｖ】この出願の実施例による第２のパターンの概略図である。
【図７Ｗ】この出願の実施例による第２のパターンの概略図である。
【図７Ｘ】この出願の実施例による第２のパターンの概略図である。
【図７Ｙ】この出願の実施例による第２のパターンの概略図である。
【図７Ｚ】この出願の実施例による第２のパターンの概略図である。
【図７ａ】この出願の実施例による第２のパターンの概略図である。
【図７ｂ】この出願の実施例による第２のパターンの概略図である。
【図７ｃ】この出願の実施例による第２のパターンの概略図である。
【図７ｄ】この出願の実施例による第２のパターンの概略図である。
【図７ｅ】この出願の実施例による第２のパターンの概略図である。
【図７ｆ】この出願の実施例による第２のパターンの概略図である。
【図７ｇ】この出願の実施例による第２のパターンの概略図である。
【図７ｈ】この出願の実施例による第２のパターンの概略図である。
【図７ｉ】この出願の実施例による第２のパターンの概略図である。
【図７ｊ】この出願の実施例による第２のパターンの概略図である。
【図７ｋ】この出願の実施例による第２のパターンの概略図である。
【図７ｌ】この出願の実施例による第２のパターンの概略図である。
【図７ｍ】この出願の実施例による第２のパターンの概略図である。
【図７ｎ】この出願の実施例による第２のパターンの概略図である。
【図７ｏ】この出願の実施例による参照信号拡散方式の概略図である。
【図７ｐ】この出願の実施例による参照信号拡散方式の概略図である。
【図７ｑ】この出願の実施例による参照信号拡散方式の概略図である。
【図８Ａ】この出願の実施例による第２のパターンの概略図である。
【図８Ｂ】この出願の実施例による第２のパターンの概略図である。
【図８Ｃ】この出願の実施例による第２のパターンの概略図である。
【図８Ｄ】この出願の実施例による第２のパターンの概略図である。
【図８Ｅ】この出願の実施例による第２のパターンの概略図である。
【図８Ｆ】この出願の実施例による第２のパターンの概略図である。
【図８Ｇ】この出願の実施例による第２のパターンの概略図である。
【図８Ｈ】この出願の実施例による第２のパターンの概略図である。
【図８Ｉ】この出願の実施例による第２のパターンの概略図である。
【図８Ｊ】この出願の実施例による第２のパターンの概略図である。
【図８Ｋ】この出願の実施例による第２のパターンの概略図である。
【図８Ｌ】この出願の実施例による第２のパターンの概略図である。
【図８Ｍ】この出願の実施例による第２のパターンの概略図である。
【図８Ｎ】この出願の実施例による第２のパターンの概略図である。
【図８Ｏ】この出願の実施例による第２のパターンの概略図である。
【図８Ｐ】この出願の実施例による第２のパターンの概略図である。
【図８Ｑ】この出願の実施例による第２のパターンの概略図である。
【図８Ｒ】この出願の実施例による第２のパターンの概略図である。
【図８Ｓ】この出願の実施例による第２のパターンの概略図である。
【図８Ｔ】この出願の実施例による第２のパターンの概略図である。
【図８Ｕ】この出願の実施例による第２のパターンの概略図である。
【図８Ｖ】この出願の実施例による第２のパターンの概略図である。
【図８Ｗ】この出願の実施例による第２のパターンの概略図である。
【図８Ｘ】この出願の実施例による第２のパターンの概略図である。
【図８Ｙ】この出願の実施例による第２のパターンの概略図である。
【図８Ｚ】この出願の実施例による第２のパターンの概略図である。
【図８ａ】この出願の実施例による第２のパターンの概略図である。
【図８ｂ】この出願の実施例による第２のパターンの概略図である。
【図８ｃ】この出願の実施例による第２のパターンの概略図である。
【図８ｄ】この出願の実施例による第２のパターンの概略図である。
【図８ｅ】この出願の実施例による第２のパターンの概略図である。
【図８ｆ】この出願の実施例による第２のパターンの概略図である。
【図８ｇ】この出願の実施例による第２のパターンの概略図である。
【図８ｈ】この出願の実施例による第２のパターンの概略図である。
【図８ｉ】この出願の実施例による第２のパターンの概略図である。
【図８ｊ】この出願の実施例による第２のパターンの概略図である。
【図８ｋ】この出願の実施例による第２のパターンの概略図である。
【図８ｌ】この出願の実施例による第２のパターンの概略図である。
【図８ｍ】この出願の実施例による第２のパターンの概略図である。
【図８ｎ】この出願の実施例による第２のパターンの概略図である。
【図８ｏ】この出願の実施例による参照信号拡散方式の概略図である。
【図８ｐ】この出願の実施例による参照信号拡散方式の概略図である。
【図９Ａ】この出願の実施例による第１のパターンの概略図である。
【図９Ｂ】この出願の実施例による第１のパターンの概略図である。
【図９Ｃ】この出願の実施例による第１のパターンの概略図である。
【図９Ｄ】この出願の実施例による第１のパターンの概略図である。
【図９Ｅ】この出願の実施例による第１のパターンの概略図である。
【図９Ｆ】この出願の実施例による第１のパターンの概略図である。
【図９Ｇ】この出願の実施例による第１のパターンの概略図である。
【図９Ｈ】この出願の実施例による第１のパターンの概略図である。
【図９Ｉ】この出願の実施例による第１のパターンの概略図である。
【図９Ｊ】この出願の実施例による第１のパターンの概略図である。
【図９Ｋ】この出願の実施例による第１のパターンの概略図である。
【図９Ｌ】この出願の実施例による第１のパターンの概略図である。
【図９Ｍ】この出願の実施例による第１のパターンの概略図である。
【図９Ｎ】この出願の実施例による第１のパターンの概略図である。
【図９Ｏ】この出願の実施例による第１のパターンの概略図である。
【図９Ｐ】この出願の実施例による第１のパターンの概略図である。
【図９Ｑ】この出願の実施例による第１のパターンの概略図である。
【図９Ｒ】この出願の実施例による第１のパターンの概略図である。
【図９Ｓ】この出願の実施例による第１のパターンの概略図である。
【図９Ｔ】この出願の実施例による第１のパターンの概略図である。
【図９Ｕ】この出願の実施例による第１のパターンの概略図である。
【図９Ｖ】この出願の実施例による第１のパターンの概略図である。
【図９Ｗ】この出願の実施例による第１のパターンの概略図である。
【図９Ｘ】この出願の実施例による第１のパターンの概略図である。
【図９Ｙ】この出願の実施例による第１のパターンの概略図である。
【図９Ｚ】この出願の実施例による第１のパターンの概略図である。
【図９ａ】この出願の実施例による第１のパターンの概略図である。
【図９ｂ】この出願の実施例による第１のパターンの概略図である。
【図９ｃ】この出願の実施例による参照信号拡散方式の概略図である。
【図９ｄ】この出願の実施例による参照信号拡散方式の概略図である。
【図９ｅ】この出願の実施例による参照信号拡散方式の概略図である。
【図９ｆ】この出願の実施例による参照信号拡散方式の概略図である。
【図１０Ａ】この出願の実施例による第１のパターンの概略図である。
【図１０Ｂ】この出願の実施例による第１のパターンの概略図である。
【図１０Ｃ】この出願の実施例による第１のパターンの概略図である。
【図１０Ｄ】この出願の実施例による第１のパターンの概略図である。
【図１０Ｅ】この出願の実施例による第１のパターンの概略図である。
【図１０Ｆ】この出願の実施例による第１のパターンの概略図である。
【図１０Ｇ】この出願の実施例による第１のパターンの概略図である。
【図１０Ｈ】この出願の実施例による第１のパターンの概略図である。
【図１１Ａ】この出願の実施例による参照信号分布の概略図である。
【図１１Ｂ】この出願の実施例による参照信号拡散方式の概略図である。
【図１２】この出願の他の実施例によるチャネル推定方法のフローチャートである。
【図１３】この出願の他の実施例によるチャネル推定方法の実現方式の概略図である。
【図１４】この出願の他の実施例によるチャネル推定方法のフローチャートである。
【図１５】この出願の実施例によるチャネル推定装置のブロック図である。
【図１６】この出願の実施例による参照信号送出装置のブロック図である。
【発明を実施するための形態】
【００３１】
この出願の目的、技術的解決策及び利点をより明確にするために、以下に、添付図面を参照してこの出願の実現方式について詳細に更に説明する。
【００３２】
この明細書において言及される「モジュール」は、メモリに記憶され且ついくつかの機能を実現できるプログラム又は命令である。この明細書において言及される「ユニット」は、ロジックに従って分割された機能構成である。「ユニット」はハードウェアのみにより実現されてもよく、或いはソフトウェアとハードウェアとの組み合わせにより実現されてもよい。
【００３３】
この明細書において、「複数」は２つ又は２つより多くを示す。「及び／又は」という用語は、関係する対象物を記述するための関連付け関係を記述し、３つの関係が存在し得ることを表す。例えば、A及び／又はBは以下の３つの場合、すなわち、Aのみが存在する場合、AとBとの双方が存在する場合、及びBのみが存在する場合を表してもよい。「／」という文字は、関連する対象物の間の「又は」の関係を示す。
【００３４】
図１は、この出願の例示的な実施例によるチャネル推定システムの概略構成図である。チャネル推定システムは、第１のネットワークデバイス120と、第２のネットワークデバイス140とを含む。
【００３５】
第１のネットワークデバイス120は、参照信号を受信し、フィードバックデータを送出する能力を有する。任意選択で、第１のネットワークデバイス120は、移動通信システムにおける端末デバイスである。任意選択で、第１のネットワークデバイス120は、ユーザ端末（英文：User  Terminal）、ユーザデバイス（英文：User  Device）又はユーザ装置（英文：User  Equipment,  略称：UE）、例えば、移動電話、タブレットコンピュータ及びスマート機器でもよい。
【００３６】
第２のネットワークデバイス140は、参照信号を送出し、フィードバックデータを受信する能力を有する。任意選択で、第２のネットワークデバイス140は、移動通信システムにおけるアクセスネットワークデバイスである。任意選択で、アクセスネットワークデバイスは、グローバル・システム・フォー・モバイル・コミュニケーションズ（英文：Global  System  for  Mobile  communication,  略称：GSM）又は符号分割多元接続（英文：Code  Division  Multiple  Access,  略称：CDMA）における基地送受信局（英文：Base  Transceiver  Station,  略称：BTS）である。任意選択で、アクセスネットワークデバイスは、ユニバーサル・モバイル・テレコミュニケーションズ・システム（英文：Universal  Mobile  Telecommunications  System,  略称：UMTS）におけるノードB（英文：NodeB）である。任意選択で、アクセスネットワークデバイスは、ロングタームエボリューション（英文：Long  Term  Evolution,  略称：LTE）又は第５世代移動通信（英文：5-Generation,  略称：5G）技術における進化型ノードB（英文：evolutional  Node  B,  略称：eNB又はe-NodeB）である。
【００３７】
第１のネットワークデバイス120及び第２のネットワークデバイス140は、無線キャリアを使用することにより互いに通信する。
【００３８】
任意選択で、図１に示す参照信号送受信システムは、複数の第１のネットワークデバイス120及び／又は複数の第２のネットワークデバイス140を含んでもよく、１つの第２のネットワークデバイス140は複数の第１のネットワークデバイス120と通信してもよい。図１は、説明のための例として１つの第１のネットワークデバイス120及び１つの第２のネットワークデバイス140のみを示している。これはこの実施例において限定されない。
【００３９】
図２は、この出願の例示的な実施例による第１のネットワークデバイスの概略構成図である。第１のネットワークデバイスは、プロセッサ21と、通信コンポーネント22と、メモリ23とを含む。
【００４０】
プロセッサ21は１つ以上の処理コアを含み、プロセッサ21は、様々な機能アプリケーションを実行して情報を処理するために、ソフトウェアプログラム及びモジュールを実行する。
【００４１】
通信コンポーネント22は、受信機と、送信機とを含む。通信コンポーネント22は、代替として通信チップでもよい。通信チップは、受信モジュール、送信モジュール、変調／復調モジュール等を含んでもよく、情報を変調又は復調し、無線信号を使用することにより情報を受信又は送出するように構成される。
【００４２】
メモリ23はプロセッサ21に接続される。
【００４３】
メモリ23は、ソフトウェアプログラム及びモジュールを記憶するように構成されてもよい。メモリは、オペレーティングシステム24と、少なくとも１つの機能により要求されるアプリケーションプログラムモジュール25とを記憶してもよい。
【００４４】
アプリケーションプログラムモジュール25は、決定モジュールと、復調モジュールとを含んでもよい。決定モジュールは、第１の参照信号の第１のプリコーディング重み及び第２の参照信号の第２のプリコーディング重みが同じであるか否かを決定するように構成される。復調モジュールは、第１の参照信号及び第２の参照信号に基づいて、第２の時間単位内にチャネルに対してチャネル推定を実行し、チャネル推定結果に基づいて、第２の時間単位内にデータを復調するように構成される。
【００４５】
さらに、メモリ23は、いずれかの種類の揮発性若しくは不揮発性記憶デバイス、又はこれらの組み合わせ、例えば、スタティックランダムアクセスメモリ（英文：static  random  access  memory,  略称：SRAM）、電気的消去可能プログラム可能読み取り専用メモリ（英文：electrically  erasable  programmable  read-only  memory,  略称：EEPROM）、消去可能プログラム可能読み取り専用メモリ（英文：erasable  programmable  read-only  memory,  略称：EPROM）、プログラム可能読み取り専用メモリ（英文：programmable  read-only  memory,  略称：PROM）、読み取り専用メモリ（英文：read-only  memory,  略称：ROM）、磁気メモリ、フラッシュメモリ、磁気ディスク又は光ディスクにより実現されてもよい。
【００４６】
プロセッサ21は、通信コンポーネント22を使用することにより、第１のパターンに従って第１の時間単位内に第１の参照信号を受信し、通信コンポーネント22を使用することにより、第２のパターンに従って第２の時間単位内に第２の参照信号を受信する。代替として、プロセッサ21は、通信コンポーネント22を使用することにより、第４のパターンに従って第１の時間単位内に第１の参照信号を受信し、通信コンポーネント22を使用することにより、第３のパターンに従って第２の時間単位内に第２の参照信号を受信する。代替として、プロセッサ21は、メモリ23内の復調モジュールを実行することにより、第１の参照信号及び第２の参照信号に基づいて、第２の時間単位内にチャネルに対してチャネル推定を実行する。
【００４７】
当業者は、図２に示す第１のネットワークデバイスの構成が第１のネットワークデバイスに対する如何なる限定も構成せず、図面に示すものより多くの或いは少ないコンポーネント、又はいくつかのコンポーネントの組み合わせ、又は異なって配置されたコンポーネントを含んでもよいことを理解し得る。
【００４８】
図３は、この出願の例示的な実施例による第２のネットワークデバイスの概略構成図である。送出デバイスは、プロセッサ31と、通信コンポーネント32と、メモリ33とを含む。
【００４９】
プロセッサ31は１つ以上の処理コアを含み、プロセッサ31は、様々な機能アプリケーションを実行して情報を処理するために、ソフトウェアプログラム及びモジュールを実行する。
【００５０】
通信コンポーネント32は、受信機と、送信機とを含む。通信コンポーネント32は、代替として通信チップでもよい。通信チップは、受信モジュール、送信モジュール、変調／復調モジュール等を含んでもよく、情報を変調又は復調し、無線信号を使用することにより情報を受信又は送出するように構成される。
【００５１】
メモリ33はプロセッサ31に接続される。
【００５２】
メモリ33は、ソフトウェアプログラム及びモジュールを記憶するように構成されてもよい。メモリは、オペレーティングシステム34と、少なくとも１つの機能により要求されるアプリケーションプログラムモジュール35とを記憶してもよい。
【００５３】
さらに、メモリ33は、いずれかの種類の揮発性若しくは不揮発性記憶デバイス、又はこれらの組み合わせ、例えば、スタティックランダムアクセスメモリ（SRAM）、電気的消去可能プログラム可能読み取り専用メモリ（EEPROM）、消去可能プログラム可能読み取り専用メモリ（EPROM）、プログラム可能読み取り専用メモリ（PROM）、読み取り専用メモリ（ROM）、磁気メモリ、フラッシュメモリ、磁気ディスク又は光ディスクにより実現されてもよい。
【００５４】
プロセッサ31は、通信コンポーネント32を使用することにより、第１のパターンに従って第１の時間単位内に第１の参照信号を送出し、通信コンポーネント32を使用することにより、第２のパターンに従って第２の時間単位内に第２の参照信号を送出する。代替として、プロセッサ31は、通信コンポーネント32を使用することにより、第４のパターンに従って第１の時間単位内に第１の参照信号を送出し、通信コンポーネント32を使用することにより、第３のパターンに従って第２の時間単位内に第２の参照信号を送出する。
【００５５】
当業者は、図３に示す第２のネットワークデバイスの構成が第２のネットワークデバイスに対する如何なる限定も構成せず、図面に示すものより多くの或いは少ないコンポーネント、又はいくつかのコンポーネントの組み合わせ、又は異なって配置されたコンポーネントを含んでもよいことを理解し得る。
【００５６】
「パターン」は、時間周波数リソース範囲内でいくつかの信号により占有される時間周波数リソースの位置を識別する時間周波数リソース分布指示でもよいことが理解されるべきである。上りリンク信号又は下りリンク信号に拘わらず、ユーザ装置とネットワークデバイスとの双方は、パターンに従って、時間周波数位置において信号を受信又は送出することを決定できる。パターンはコードにより表されてもよく、予め設定されてもよく、或いはプロセッサ、メモリ又は記憶ユニットに予め記憶されてもよく、シーケンス番号又はインデックスを使用することにより、異なるネットワークデバイス又は端末の間で表される。
【００５７】
図１に示す参照信号送受信システムにおいて、第１の参照信号はチャネル測定のための参照信号であり、第２の参照信号は復調のための参照信号である。任意選択で、第１の参照信号はチャネル状態情報参照信号（英文：Channel-State  Information  Reference  Signal,  略称：CSI-RS）又はセル固有参照信号（英文：Cell-specific  Reference  Signal,  略称：CRS）である。任意選択で、第２の参照信号は復調参照信号（英文：Demodulation  Reference  Signal,  略称：DMRS）である。この出願の実施例では、第１の参照信号がCSI-RSであり、第２の参照信号がDMRSである例が説明のために使用される。
【００５８】
任意選択で、第１の時間単位はサブフレームであり、第２の時間単位は他のサブフレームであり、１つのサブフレームは第１のスロット及び第２のスロットを含む。
【００５９】
第１の時間単位は時間単位と呼ばれてもよく、第２の時間単位もまた時間単位と呼ばれてもよい点に留意すべきである。
【００６０】
任意選択で、時間領域において、第１の時間単位はスロットであり、スロットは複数の直交周波数分割多重（英文：Orthogonal  Frequency  Division  Multiplexing,  略称：OFDM）シンボルを占有し、第２の時間単位は他のスロットであり、他のスロットは複数のOFDMシンボルを占有するか、或いは第１の時間単位は、２つのOFDMシンボルを含む時間単位であり、第２の時間単位は、２つのOFDMシンボルを含む時間単位であるか、或いは第１の時間単位は、３つ又は４つのOFDMシンボルを含む時間単位であり、第２の時間単位は、３つ又は４つのOFDMシンボルを含む時間単位である。言い換えると、時間単位は、複数のOFDMシンボルを含むスロット、２つのOFDMシンボルを含む時間単位、又は３つ若しくは４つのOFDMシンボルを含む時間単位である。第１の時間単位が複数のOFDMシンボルを含むことは、時間単位により占有される時間が複数のOFDMシンボルにより占有される時間であることを意味してもよいことが理解されるべきである。
【００６１】
時間周波数領域において、１つの物理リソースブロックは１つのスロットに対応し、１つの物理リソースブロックペアは２つのスロットに対応する。１つの物理リソースブロックは時間領域において複数のOFDMシンボルを占有し、周波数領域において12個の連続するサブキャリアを占有するか、或いは言い換えると、１つの物理リソースブロックは、時間領域における複数のOFDMシンボルと、周波数領域における12個の連続するサブキャリアとを使用することにより表される。ここでは、12個の連続するサブキャリアは、説明のための例として使用されることが理解されるべきである。複数のOFDMシンボルの数はmであることが仮定される。通常サイクリックプレフィクスの場合、１つの物理リソースブロックは、時間領域次元における7個のOFDMシンボルと、周波数領域次元における12個の連続するサブキャリアとを占有し、すなわち、m=7である。拡張サイクリックプレフィクスの場合、１つの物理リソースブロックは、時間領域次元における6個のOFDMシンボルと、周波数領域次元における12個の連続するサブキャリアとを占有し、すなわち、m=6である。
【００６２】
時間単位が３つ又は４つのOFDMシンボルを含む時間単位であるとき、通常サイクリックプレフィクスの場合、時間領域次元において１つの物理リソースブロックにより占有される7個のOFDMシンボルは、３つのOFDMシンボル及び４つのOFDMに順次に分割され、時間領域次元において１つの物理リソースブロックペアにより占有される14個のOFDMシンボルは、３つのOFDMシンボル、4つのOFDMシンボル、３つのOFDMシンボル及び４つのOFDMシンボルに順次に分割される点に留意すべきである。
【００６３】
任意選択で、第３のパターンは、第１の参照信号の第１のプリコーディング重み及び第２の参照信号の第２のプリコーディング重みが異なるときに使用される、第２の時間単位内の第２の参照信号の時間周波数分布パターンである。言い換えると、第３のパターンは、第２の参照信号が共同チャネル推定において使用されないときに使用される、第２の時間単位内の第２の参照信号の時間周波数分布パターンであるか、或いは第３のパターンは、第１の参照信号が第１の時間単位に存在せず、第２の参照信号が第２の時間単位に存在するときに使用される、第２の時間単位内の第２の参照信号の時間周波数分布パターンである。
【００６４】
第２の参照信号を送信するために使用される、第３のパターンにおける時間周波数リソースの密度が物理リソースブロックペア当たり12個の時間周波数リソースであるとき、第２の参照信号は、時間領域次元におけるサブフレームの各スロットの最後の２つのシンボルを占有し、周波数領域次元において或る間隔で現れるサブキャリアX、サブキャリアY及びサブキャリアZを占有する。第２の参照信号を送信するために使用される時間周波数リソースの密度は、１つの物理リソースブロックペア内の時間周波数リソースの合計数に対する、第２の参照信号を送信するために使用される、１つの物理リソースブロックペア内の時間周波数リソースの数の比に等しい。
【００６５】
任意選択で、Xは0以上且つ11以下の整数であり、Yは0以上且つ11以下の整数であり、Zは0以上且つ11以下の整数である。
【００６６】
第２の参照信号はDMRSであるので、通常サイクリックプレフィクスの場合、第３のパターンが図４Ａに示される。図面において、２つの物理リソースブロック、すなわち、物理リソースブロックペアは、それぞれスロットs1及びスロットs2に対応する。各物理リソースブロックは、時間領域次元において7個のOFDMシンボル42を占有し、周波数領域次元において12個のサブキャリア43を占有する。合計で12個のDMRS41が物理リソースブロックペア上に分布する。具体的な分布は以下の通りである。時間領域次元において、左から右に、DMRS41は、スロットs1及びスロットs2の最後の２つのOFDMシンボル42を占有する。周波数領域次元において、下から上に、DMRS41は、サブキャリア1、サブキャリア6及びサブキャリア11を占有する。DMRSがシンボルを占有することは、DMRSがシンボルに対応する時間周波数リソース上で送信されることを意味し、DMRSがサブキャリアを占有することは、DMRSがサブキャリアに対応する時間周波数リソース上で送信されることを意味する。
【００６７】
拡張サイクリックプレフィクスの場合、第３のパターンが図４Ｂに示される。図面において、２つの物理リソースブロック、すなわち、物理リソースブロックペアは、それぞれスロットs1及びスロットs2に対応する。各物理リソースブロックは、時間領域次元において6個のOFDMシンボル45を占有し、周波数領域次元において12個のサブキャリア46を占有する。合計で12個のDMRS44が物理リソースブロックペア上に分布する。具体的な分布は以下の通りである。時間領域次元において、左から右に、DMRS44は、スロットs1及びスロットs2の最後の２つのOFDMシンボル45を占有する。周波数領域次元において、下から上に、DMRS44は、サブキャリア1、サブキャリア6及びサブキャリア11を占有する。
【００６８】
第２の参照信号を送信するために使用される、第３のパターンにおける時間周波数リソースの密度が、物理リソースブロックペア当たり24個の時間周波数リソースであるとき、第２の参照信号は、第３のパターンにおいて２つの符号分割多重（英文：Code-Division  Multiplexing,  略称：CDM）グループに分割される。２つのグループの第２の参照信号は、時間領域次元におけるサブフレームの各スロットの最後の２つのシンボルをそれぞれ占有する。第１のグループの第２の参照信号は、周波数領域次元において、或る間隔で現れるサブキャリアX、サブキャリアY及びサブキャリアZを占有し、第２のグループの第２の参照信号は、周波数領域次元において、或る間隔で現れるサブキャリアX+1、サブキャリアY+1及びサブキャリアZ+1を占有する。
【００６９】
第１のグループの第２の参照信号は、サブキャリアX、サブキャリアY及びサブキャリアZを占有し、第２のグループの第２の参照信号は、サブキャリアX+1、サブキャリアY+1及びサブキャリアZ+1を占有する。
【００７０】
第２の参照信号はDMRSであるので、通常サイクリックプレフィクスの場合、第３のパターンが図４Ｃに示される。図面において、２つの物理リソースブロック、すなわち、物理リソースブロックペアは、それぞれスロットs1及びスロットs2に対応する。各物理リソースブロックは、時間領域次元において7個のOFDMシンボルを占有し、周波数領域次元において12個のサブキャリアを占有する。合計で24個のDMRSが物理リソースブロックペア上に分布する。具体的な分布は以下の通りである。時間領域次元において、左から右に、第１のグループのDMRS47は、サブフレームの各スロットの最後の２つのOFDMシンボルをそれぞれ占有する。周波数領域次元において、下から上に、第１のグループのDMRS48は、サブキャリア0、サブキャリア5及びサブキャリア10を占有し、第２のグループのDMRS47は、サブキャリア1、サブキャリア6及びサブキャリア11を占有する。
【００７１】
拡張サイクリックプレフィクスの場合、第３のパターンが図４Ｄに示される。図面において、２つの物理リソースブロック、すなわち、物理リソースブロックペアは、それぞれスロットs1及びスロットs2に対応する。各物理リソースブロックは、時間領域次元において6個のOFDMシンボルを占有し、周波数領域次元において12個のサブキャリアを占有する。合計で24個のDMRSが物理リソースブロックペア上に分布する。具体的な分布は以下の通りである。時間領域次元において、左から右に、第１のグループのDMRS49及び第２のグループのDMRS50は、サブフレームの各スロットの最後の２つのOFDMシンボルを占有する。周波数領域次元において、下から上に、第１のグループのDMRS49は、サブキャリア0、サブキャリア5及びサブキャリア10を占有し、第２のグループのDMRS50は、サブキャリア1、サブキャリア6及びサブキャリア11を占有する。
【００７２】
第４のパターンは、第１の参照信号の第１のプリコーディング重み及び第２の参照信号の第２のプリコーディング重みが異なるときに使用される、第１の時間単位内の第１の参照信号の時間周波数分布パターンである。言い換えると、第４のパターンは、第１の参照信号が共同チャネル推定において使用されないときに使用される、第１の時間単位内の第１の参照信号の時間周波数分布パターンであるか、或いは第４のパターンは、第１の参照信号が第１の時間単位に存在し、第２の参照信号が第２の時間単位に存在しないときに使用される、第１の時間単位内の第１の参照信号の時間周波数分布パターンである。
【００７３】
第１のスロットに属する、第４のパターンのパターン部分において、第１の参照信号は、時間領域次元において第１のスロットの最後の２つのシンボルを占有し、第１の参照信号は、周波数領域次元においてサブキャリアA、サブキャリアB、サブキャリアC及びサブキャリアDのうち少なくとも１つを占有する。
【００７４】
例えば、第１の参照信号はCSI-RSである。１つの物理リソースブロックペア内で、CSI-RSにより占有される時間周波数リソースの数はCSI-RSの設定に依存する。１つの物理リソースブロックペア内で、CSI-RSにより占有される時間周波数リソースの数は1、2、4又は8である。CSI-RSにより占有される時間周波数リソースの数が1又は2であるとき、20個の占有方式が存在する。CSI-RSにより占有される時間周波数リソースの数が4であるとき、10個の占有方式が存在する。CSI-RSにより占有される時間周波数リソースの数が8であるとき、5個の占有方式が存在する。
【００７５】
例えば、１つの物理リソースブロックペア内でCSI-RSにより占有される時間周波数リソースの数は8であり、CSI-RSにより占有される時間周波数リソースは全て、物理リソースブロックペア内の前の物理リソースブロックに属し、或いは言い換えると、CSI-RSは、時間領域次元において第１のスロットの最後の２つのシンボルのみを占有する。
【００７６】
通常サイクリックプレフィクスの場合、図５Ａは、第１のスロットに対応する、第４のパターンのパターン部分を概略的に示す。図面において、１つの物理リソースブロックはスロットs1に対応し、物理リソースブロックは、時間領域次元において7個のOFDMシンボルを占有し、周波数領域次元において12個のサブキャリアを占有する。合計で8個のCSI-RS51が物理リソースブロック上に分布する。具体的な分布は以下の通りである。時間領域次元において、左から右に、CSI-RS51は、スロットs1の最後の２つのOFDMシンボルを占有する。周波数領域次元において、下から上に、CSI-RS51は、サブキャリア2、サブキャリア3、サブキャリア8及びサブキャリア9を占有する。
【００７７】
拡張サイクリックプレフィクスの場合、図５Ｂは、第１のスロットに対応する、第４のパターンのパターン部分を概略的に示す。図面において、１つの物理リソースブロックはスロットs1に対応し、物理リソースブロックは、時間領域次元において6個のOFDMシンボルを占有し、周波数領域次元において12個のサブキャリアを占有する。合計で8個のCSI-RS52が物理リソースブロック上に分布する。具体的な分布は以下の通りである。時間領域次元において、左から右に、CSI-RS52は、スロットs1の最後の２つのOFDMシンボルを占有する。周波数領域次元において、下から上に、CSI-RS52は、サブキャリア2、サブキャリア3、サブキャリア8及びサブキャリア9を占有する。
【００７８】
第１のスロットに対応する、第４のパターンのパターン部分において、CSI-RSにより占有される時間周波数リソースの数が1又は2であるとき、CSI-RSは、時間領域次元において第１のスロットの最後の２つのシンボルを占有し、CSI-RSは、周波数領域次元においてサブキャリア2、サブキャリア3、サブキャリア8又はサブキャリア9を占有する。第１のスロットに対応する、第４のパターンのパターン部分において、CSI-RSにより占有される時間周波数リソースの数が4であるとき、CSI-RSは、時間領域次元において第１のスロットの最後の２つのシンボルを占有し、CSI-RSは、周波数領域次元においてサブキャリア2、サブキャリア3、サブキャリア8又はサブキャリア9を占有する。
【００７９】
図６は、この出願の例示的な実施例によるチャネル推定方法のフローチャートである。この出願のこの実施例では、チャネル推定方法が図１に示す実現環境に適用される例が説明のために使用される。図６に示すように、チャネル推定方法は以下のステップを含む。
【００８０】
ステップ601.第１の参照信号の第１のプリコーディング重み及び第２の参照信号の第２のプリコーディング重みが同じであるとき、第２のネットワークデバイスは、第１のパターンに従って第１の時間単位内に第１の参照信号を送出する。
【００８１】
第１の参照信号はチャネル測定のための参照信号である。任意選択で、第１の参照信号はCSI-RS又はCRSである。
【００８２】
第２の参照信号は復調のための参照信号である。任意選択で、第２の参照信号はDMRSである。
【００８３】
ステップ602.第２のネットワークデバイスは、第２のパターンに従って第２の時間単位内に第２の参照信号を送出する。
【００８４】
第１の参照信号及び第２の参照信号は、第２の時間単位内にチャネルに対するチャネル推定に使用される。第２のパターンは第３のパターンと異なる。ポート数又はランクが同じであるという条件で、第２のパターンにおいて第２の参照信号により占有される時間周波数リソースの数は、第３のパターンにおいて第２の参照信号により占有される時間周波数リソースの数未満である。
【００８５】
第３のパターンは、第１のプリコーディング重み及び第２のプリコーディング重みが異なるときに使用される、時間単位内の第２の参照信号の時間周波数分布パターンであるか、或いは第３のパターンは、第１の参照信号が第１の時間単位に存在せず、第２の参照信号が第２の時間単位に存在するときに使用される、第２の時間単位内の第２の参照信号の時間周波数分布パターンである。第１のパターンは、第１のプリコーディング重み及び第２のプリコーディング重みが同じときに使用される、第１の時間単位内の第１の参照信号の時間周波数分布パターンであり、第２のパターンは、第１のプリコーディング重み及び第２のプリコーディング重みが同じときに使用される、第２の時間単位内の第２の参照信号の時間周波数分布パターンである。
【００８６】
任意選択で、第１のプリコーディング重み及び第２のプリコーディング重みが同じであるとき、第１の参照信号及び第２の参照信号は、第２の時間単位内にチャネルに対する共同チャネル推定に使用される。
【００８７】
ステップ603.第１のプリコーディング重み及び第２のプリコーディング重みが同じであるとき、第１のネットワークデバイスは、第１のパターンに従って第１の時間単位内に第１の参照信号を受信し、第２のパターンに従って第２の時間単位内に第２の参照信号を受信する。
【００８８】
第１の参照信号及び第２の参照信号を受信する前に、第１のネットワークデバイスは、第１のプリコーディング重み及び第２のプリコーディング重みが同じであるか否かを決定する。
【００８９】
任意選択で、第１のネットワークデバイスは、予め規定されたルール又は設定情報に従って、第１のプリコーディング重み及び第２のプリコーディング重みが同じであるか否かを決定する。予め規定されたルールは、第１のネットワークデバイスに予め記憶され、設定情報は、第２のネットワークデバイスにより第１のネットワークデバイスに送出される。
【００９０】
ステップ604.第１のネットワークデバイスは、第１の参照信号及び第２の参照信号に基づいて、第２の時間単位内にチャネルに対してチャネル推定を実行する。
【００９１】
第２の時間単位内にチャネルに対してチャネル推定を実行した後に、第１のネットワークデバイスは、チャネル推定結果に基づいて、第２の時間単位内にデータを復調する。
【００９２】
ステップ601及びステップ602は、第２のネットワークデバイス側における参照信号送出方法として別々に実現されてもよく、ステップ603及びステップ604は、第１のネットワークデバイス側におけるチャネル推定方法として別々に実現されてもよい点に留意すべきである。
【００９３】
要するに、この出願のこの実施例において提供されるチャネル推定方法によれば、第１のプリコーディング重み及び第２のプリコーディング重みが同じであるとき、第２のネットワークデバイスは、第１のパターンに従って第１の時間単位内に第１の参照信号を送出し、第２のパターンに従って第２の時間単位内に第２の参照信号を送出し、第１のプリコーディング重み及び第２のプリコーディング重みが同じであると決定したとき、第１のネットワークデバイスは、異なるパターンに従って異なる時間単位内に第１の参照信号及び第２の参照信号を受信し、次に、第１の参照信号及び第２の参照信号に基づいて、第２の時間単位内にチャネルに対してチャネル推定を実行する。それぞれ第１のパターン及び第２のパターンに従って受信される第１の参照信号及び第２の参照信号により占有されるリソースは、第３のパターン及び第４のパターンが使用されるときに占有されるリソースより少ないので、通信システムのスループットが確保でき、一方で、チャネル推定効果が最適化され、無線リソースオーバーヘッドが低減され、通信システムの性能が改善される。
【００９４】
任意選択で、この出願のこの実施例において提供されるチャネル推定方法では、第１の時間単位は第２の時間単位の前であり、時間単位は、第１のスロット及び第２のスロットを含むサブフレームであり、第２のパターンにおける時間周波数リソースは、第３のパターンにおける時間周波数リソースの一部であり、第２のパターンは第１のスロット及び第２のスロットの中にあるか、或いは第２のパターンは、第１のスロット及び第２のスロットのうち１つの中にあり、第２のパターンは、第２の参照信号が共同チャネル推定において使用されるときに使用される、第２の時間単位内の第２の参照信号の時間周波数分布パターンである。
【００９５】
第２の参照信号、すなわち、DMRSを送信するために使用される、第３のパターンにおける時間周波数リソースの密度が物理リソースブロックペア当たり12個の時間周波数リソースであるとき、第２のパターンにおける時間周波数リソースは第３のパターンにおける時間周波数リソースの一部であるので、第２の参照信号は第２のパターンにおいて３つの方式で分布する。
【００９６】
(1)第２のパターンにおいて、第２の参照信号は、時間領域次元において各スロットの最後の２つのシンボルを占有し、周波数領域次元において、或る間隔で現れるサブキャリアX、サブキャリアY及びサブキャリアZのうち少なくとも１つを占有する。サブキャリアX、サブキャリアY及びサブキャリアZの中で、少なくとも１つのサブキャリアは、第２の参照信号が１つのみのスロットを占有するときに占有されるサブキャリアであるか、或いは少なくとも１つのサブキャリアは、２つのスロット内で占有されないサブキャリアである。
【００９７】
第２の参照信号は、時間領域次元において第１のスロット及び第２のスロットの最後の２つのシンボルを占有し、周波数領域次元においてサブキャリアX、サブキャリアY及びサブキャリアZ；サブキャリアX及びサブキャリアY；サブキャリアX及びサブキャリアZ；サブキャリアY及びサブキャリアZ；サブキャリアX；サブキャリアY；又はサブキャリアZを占有し、サブキャリアは或る間隔で現れる。
【００９８】
任意選択で、Xは0以上且つ11以下の整数であり、Yは0以上且つ11以下の整数であり、Zは0以上且つ11以下の整数である。
【００９９】
例えば、第２の参照信号はDMRSであり、通常サイクリックプレフィクスの場合、第２のパターンが図７Ａに示される。図面において、２つの物理リソースブロック、すなわち、物理リソースブロックペアは、それぞれスロットs1及びスロットs2に対応する。各物理リソースブロックは、時間領域次元において7個のOFDMシンボルを占有し、周波数領域次元において12個のサブキャリアを占有する。第２のパターンにおけるDMRS71の具体的な分布は以下の通りである。時間領域次元において、DMRS71は、第１のスロット及び第２のスロットの最後の２つのシンボルを占有する。周波数領域次元において、下から上に、DMRS71は、サブキャリア1及びサブキャリア11を占有する。第３のパターンにおいてDMRSにより占有されるサブキャリア1、サブキャリア6及びサブキャリア11について、図７Ａに示す第２のパターンにおいて、サブキャリア11は第１のスロット内のみでDMRSにより占有され、サブキャリア7はいずれのスロット内でもDMRSにより占有されず、サブキャリア1は第１のスロット及び第２のスロット内でDMRSにより占有される。
【０１００】
例えば、第２の参照信号はDMRSである。通常サイクリックプレフィクスの場合、代替として、第２のパターンが図７Ｂに示されてもよい。第２の参照信号は、時間領域次元において各スロットの最後の２つのシンボルを占有し、第２の参照信号は、周波数領域次元においてサブキャリア1、サブキャリア6及びサブキャリア11を占有し、サブキャリア6及びサブキャリア11は、第１のスロット内のみでDMRSにより占有される。
【０１０１】
代替として、第２のパターンが図７Ｃに示される。第２の参照信号は、周波数領域次元において各スロットの最後の２つのシンボルを占有し、第２の参照信号は、周波数領域次元においてサブキャリア1、サブキャリア6及びサブキャリア11を占有し、サブキャリア1は、第１のスロット内のみで第２の参照信号により占有される。
【０１０２】
代替として、第２のパターンが図７Ｄに示される。第２の参照信号は、時間領域次元において各スロットの最後の２つのシンボルを占有し、第２の参照信号は、周波数領域次元においてサブキャリア1、サブキャリア6及びサブキャリア11を占有し、サブキャリア6及びサブキャリア11は、第２のスロット内のみで第２の参照信号により占有される。
【０１０３】
代替として、第２のパターンが図７Ｅに示されてもよい。第２の参照信号は、時間領域次元において各スロットの最後の２つのシンボルを占有し、第２の参照信号は、周波数領域次元においてサブキャリア1、サブキャリア6及びサブキャリア11を占有し、サブキャリア11は、第２のスロット内のみで第２の参照信号により占有される。
【０１０４】
代替として、第２のパターンが図７Ｆに示されてもよい。第２の参照信号は、時間領域次元において各スロットの最後の２つのシンボルを占有し、第２の参照信号は、周波数領域次元においてサブキャリア1及びサブキャリア6を占有し、サブキャリア11は、２つのスロットのいずれにおいても第２の参照信号により占有されない。
【０１０５】
この場合、第２の参照信号は、第２のパターンにおいて合計で48個の方式で分布し、或いは言い換えると、合計で48種類の第２のパターンが存在する。当業者は、前述のいくつかの例示的なパターンに基づいて残りの42個の第２のパターンを導出してもよく、詳細はここでは説明しない。
【０１０６】
同様に、拡張サイクリックプレフィクスの場合、例えば、DMRSは、第２のパターンにおいてサブキャリア1及びサブキャリア11を占有し、サブキャリア11は、第１のスロット内のみでDMRSにより占有され、サブキャリア6はいずれのスロット内でもDMRSにより占有されず、サブキャリア1は、第１のスロット及び第２のスロット内でDMRSにより占有される。第２のパターンが図７Ｇに示される。第２の参照信号がDMRSである例が依然として使用される場合、代替として、第２のパターンは、図７Ｈ、図７Ｉ、図７Ｊ、図７Ｋ又は図７Ｌに示されてもよい。この場合、第２の参照信号は、第２のパターンにおいて合計で48個の方式で分布し、或いは言い換えると、合計で48種類の第２のパターンが存在する。当業者は、前述のいくつかの例示的なパターンに基づいて残りの42個の第２のパターンを導出してもよく、詳細はここでは説明しない。
【０１０７】
(2)第２のパターンにおいて、第２の参照信号は、時間領域次元においてサブフレーム内の第１のスロットの最後の２つのシンボルを占有し、周波数領域次元において、或る間隔で現れるサブキャリアX、サブキャリアY及びサブキャリアZのうち少なくとも１つを占有する。
【０１０８】
第２の参照信号は、時間領域次元において第１のスロットの最後の２つのシンボルを占有し、周波数領域次元においてサブキャリアX、サブキャリアY及びサブキャリアZ；サブキャリアX及びサブキャリアY；サブキャリアX及びサブキャリアZ；サブキャリアY及びサブキャリアZ；サブキャリアX；サブキャリアY；又はサブキャリアZを占有し、サブキャリアは或る間隔で現れる。
【０１０９】
任意選択で、Xは0以上且つ11以下の整数であり、Yは0以上且つ11以下の整数であり、Zは0以上且つ11以下の整数である。
【０１１０】
例えば、第２の参照信号はDMRSであり、通常サイクリックプレフィクスの場合、第２のパターンが図７Ｍに示される。図面において、２つの物理リソースブロック、すなわち、物理リソースブロックペアは、それぞれスロットs1及びスロットs2に対応する。各物理リソースブロックは、時間領域次元において7個のOFDMシンボルを占有し、周波数領域次元において12個のサブキャリアを占有する。第２のパターンにおけるDMRS72の具体的な分布は以下の通りである。時間領域次元において、DMRS72は、第１のスロットの最後の２つのシンボルを占有する。周波数領域次元において、下から上に、DMRS71は、サブキャリア1、サブキャリア6及びサブキャリア11を占有する。
【０１１１】
第２の参照信号がDMRSである例が依然として使用される。第２のパターンが図７Ｎに示される。第２の参照信号は、周波数領域次元においてサブキャリア11及びサブキャリア1を占有し、時間領域次元において第１のスロットの最後の２つのシンボルを占有する。
【０１１２】
代替として、第２のパターンが図７Ｏに示される。第２の参照信号は、周波数領域次元においてサブキャリア11及びサブキャリア6を占有し、時間領域次元において第１のスロットの最後の２つのシンボルを占有する。
【０１１３】
代替として、第２のパターンが図７Ｐに示される。第２の参照信号は、周波数領域次元においてサブキャリア6及びサブキャリア1を占有し、時間領域次元において第１のスロットの最後の２つのシンボルを占有する。
【０１１４】
代替として、第２のパターンが図７Ｑに示される。第２の参照信号は、周波数領域次元においてサブキャリア11を占有し、時間領域次元において第１のスロットの最後の２つのシンボルを占有する。
【０１１５】
代替として、第２のパターンが図７Ｒに示される。第２の参照信号は、周波数領域次元においてサブキャリア1を占有し、時間領域次元において第１のスロットの最後の２つのシンボルを占有する。
【０１１６】
代替として、第２のパターンが図７Ｓに示される。第２の参照信号は、周波数領域次元においてサブキャリア6を占有し、時間領域次元において第１のスロットの最後の２つのシンボルを占有する。
【０１１７】
この場合、第２の参照信号は、第２のパターンにおいて図７Ａ〜図７Ｓに示す合計で7個の方式で分布し、或いは言い換えると、合計で7種類の第２のパターンが存在する。
【０１１８】
同様に、拡張サイクリックプレフィクスの場合、例えば、DMRSは、周波数領域次元においてサブキャリア1、サブキャリア6及びサブキャリア11を占有する。第２のパターンが図７Ｔに示される。代替として、第２のパターンは、図７Ｕ、図７Ｖ、図７Ｗ、図７Ｘ、図７Ｙ又は図７Ｚに示されてもよい。この場合、第２の参照信号は、第２のパターンにおいて合計で7個の方式で分布し、或いは言い換えると、合計で7種類の第２のパターンが存在する。
【０１１９】
(3)第２のパターンにおいて、第２の参照信号は、時間領域次元においてサブフレーム内の第２のスロットの最後の２つのシンボルを占有し、周波数領域次元において、或る間隔で現れるサブキャリアX、サブキャリアY及びサブキャリアZのうち少なくとも１つを占有する。
【０１２０】
第２の参照信号は、時間領域次元において第２のスロットの最後の２つのシンボルを占有し、周波数領域次元においてサブキャリアX、サブキャリアY及びサブキャリアZ；サブキャリアX及びサブキャリアY；サブキャリアX及びサブキャリアZ；サブキャリアY及びサブキャリアZ；サブキャリアX；サブキャリアY；又はサブキャリアZを占有し、サブキャリアは或る間隔で現れる。
【０１２１】
任意選択で、Xは0以上且つ11以下の整数であり、Yは0以上且つ11以下の整数であり、Zは0以上且つ11以下の整数である。
【０１２２】
例えば、第２の参照信号はDMRSであり、通常サイクリックプレフィクスの場合、第２のパターンが図７ａに示される。図面において、２つの物理リソースブロック、すなわち、物理リソースブロックペアは、それぞれスロットs1及びスロットs2に対応する。各物理リソースブロックは、時間領域次元において7個のOFDMシンボルを占有し、周波数領域次元において12個のサブキャリアを占有する。第２のパターンにおけるDMRS73の具体的な分布は以下の通りである。時間領域次元において、DMRS73は、第２のスロットの最後の２つのシンボルを占有する。周波数領域次元において、下から上に、DMRS73は、サブキャリア1、サブキャリア6及びサブキャリア11を占有する。第２の参照信号がDMRSである例が依然として使用される場合、代替として、第２のパターンは図７ｂ、図７ｃ、図７ｄ、図７ｅ、図７ｆ又は図７ｇに示されてもよい。
【０１２３】
この場合、第２の参照信号は、第２のパターンにおいて合計で7個の方式で分布し、或いは言い換えると、合計で7種類の第２のパターンが存在する。
【０１２４】
同様に、拡張サイクリックプレフィクスの場合、例えば、DMRSは、サブキャリア1、サブキャリア6及びサブキャリア11を占有する。第２のパターンが図７ｈに示される。第２の参照信号がDMRSである例が依然として使用される場合、代替として、第２のパターンは、図７ｉ、図７ｊ、図７ｋ、図７ｌ、図７ｍ又は図７ｎに示されてもよい。この場合、第２の参照信号は、第２のパターンにおいて合計で7個の方式で分布し、或いは言い換えると、合計で7種類の第２のパターンが存在する。
【０１２５】
図７Ａ、図７Ｂ、図７Ｃ、図７Ｄ、図７Ｅ、図７Ｆ、図７Ｈ、図７Ｉ、図７Ｊ、図７Ｋ、図７Ｌ、図７Ｍ、図７Ｎ、図７Ｏ、図７Ｐ、図７Ｑ、図７Ｒ、図７Ｓ、図７Ｔ、図７Ｕ、図７Ｖ、図７Ｗ、図７Ｘ、図７Ｙ、図７Ｚ、図７ａ、図７ｂ、図７ｃ、図７ｄ、図７ｅ、図７ｆ、図７ｇ、図７ｈ、図７ｉ、図７ｊ、図７ｋ、図７ｌ、図７ｍ又は図７ｎに基づく任意選択の実施例では、直交カバーコード（Orthogonal  Cover  Code,  OCC）の長さが2であるとき、周波数領域において同じサブキャリアを含む、第２のパターンにおいて２つの隣接する時間周波数リソースを使用することにより送信される第２の参照信号は、長さが2である拡散系列を使用することにより拡散された後に互いに直交する参照信号である。長さが2である拡散系列は[1  1]又は[1  -1]である。
【０１２６】
例えば、図７ｏにおいて、拡散系列はa=[1  1]及びb=[1  -1]である。図７ｏの左側に示すように、第２の参照信号は、周波数領域次元におけるサブキャリア11と、時間領域次元における第１のスロットの最後の２つのOFDMシンボルとを含む合計で２つの時間周波数リソースを占有する。２つの時間周波数リソースを使用することにより送信される第２の参照信号は、図７ｏの右側に示すように、拡散系列a及びbを使用することにより拡散される。
【０１２７】
図７Ａ、図７Ｂ、図７Ｃ、図７Ｄ、図７Ｅ、図７Ｆ、図７Ｈ、図７Ｉ、図７Ｊ、図７Ｋ、図７Ｌ、図７Ｍ、図７Ｎ、図７Ｏ、図７Ｐ、図７Ｑ、図７Ｒ、図７Ｓ、図７Ｔ、図７Ｕ、図７Ｖ、図７Ｗ、図７Ｘ、図７Ｙ、図７Ｚ、図７ａ、図７ｂ、図７ｃ、図７ｄ、図７ｅ、図７ｆ、図７ｇ、図７ｈ、図７ｉ、図７ｊ、図７ｋ、図７ｌ、図７ｍ又は図７ｎに基づく任意選択の実施例では、直交カバーコード（Orthogonal  Cover  Code,  OCC）の長さが4であるとき、長さが4である拡散系列は[1  1  1  1]、[1  -1  1  -1]、[1  1  -1  -1]又は[1  -1  -1  1]である。
【０１２８】
(1)周波数領域次元における同じサブキャリアと、時間領域次元における各スロットの最後の２つのシンボルとを含む、第２のパターンにおいて合計で４つの時間周波数リソースを使用することにより送信される第２の参照信号は、長さが4である拡散系列を使用することにより拡散された後に互いに直交する参照信号である。
【０１２９】
例えば、図７ｐにおいて、拡散系列はa=[1  1  1  1]、b=[1  -1  1  -1]、c=[1  1  -1  -1]及びd=[1  -1  -1  1]である。図７Ｎの左側に示すように、第２の参照信号は、周波数領域次元におけるサブキャリア1と、時間領域次元における第１のスロットの最後の２つのOFDMシンボル及び第２のスロットの最後の２つのOFDMシンボルとを含む合計で４つの時間周波数リソースを占有する。４つの時間周波数リソースを使用することにより送信される第２の参照信号は、図７ｐの右側に示すように、拡散系列a、b、c及びdを使用することにより拡散される。
【０１３０】
(2)周波数領域次元におけるサブキャリアX及びサブキャリアYと、時間領域次元におけるスロットの最後の２つのシンボルとを含む、第２のパターンにおいて合計で４つの時間周波数リソースを使用することにより送信される第２の参照信号、及び／又は周波数領域次元におけるサブキャリアY及びサブキャリアZと、時間領域次元におけるスロットの最後の２つのシンボルとを含む、合計で４つの時間周波数リソースを使用することにより送信される第２の参照信号、及び／又は周波数領域次元におけるサブキャリアX及びサブキャリアZと、時間領域次元におけるスロットの最後の２つのシンボルとを含む、合計で４つの時間周波数リソースを使用することにより送信される第２の参照信号は、長さが4である拡散系列を使用することにより拡散された後に互いに直交する参照信号である。
【０１３１】
例えば、図７ｑにおいて、拡散系列はa=[1  1  1  1]、b=[1  -1  1  -1]、c=[1  1  -1  -1]及びd=[1  -1  -1  1]である。図７ｑの左側に示すように、第２の参照信号は、時間領域次元における第１のスロットの最後の２つのOFDMシンボルと、周波数領域次元におけるサブキャリア1及びサブキャリア11とを含む合計で４つの時間周波数リソースを占有する。４つの時間周波数リソースを使用することにより送信される第２の参照信号は、図７ｑの右側に示すように、拡散系列a、b、c及びdを使用することにより拡散される。
【０１３２】
第２の参照信号、すなわち、DMRSを送信するために使用される、第３のパターンにおける時間周波数リソースの密度が物理リソースブロックペア当たり24個の時間周波数リソースであるとき、第２のパターンにおける時間周波数リソースは第３のパターンにおける時間周波数リソースの一部であるので、第２の参照信号は第２のパターンにおいて３つの方式で分布する。
【０１３３】
(1)第２のパターンにおいて、第２の参照信号は、２つのCDMグループに分割され、２つのグループの第２の参照信号は、時間領域次元において各スロットの最後の２つのシンボルを占有する。第１のグループの第２の参照信号及び第２のグループの第２の参照信号は、サブキャリアX及びサブキャリアX+1の第１の組み合わせと、サブキャリアY及びサブキャリアY+1の第２の組み合わせと、サブキャリアZ及びサブキャリアZ+1の第３の組み合わせとのうち少なくとも１つを対応して占有する。第１の組み合わせ、第２の組み合わせ及び第３の組み合わせの中で、少なくとも１つの組み合わせは、２つのグループの第２の参照信号が１つのみのスロットを占有するときに２つのグループの第２の参照信号により占有される組み合わせであるか、或いは少なくとも１つの組み合わせは、２つのスロット内で２つのグループの第２の参照信号により占有されない組み合わせである。
【０１３４】
第１の組み合わせはサブキャリアX及びサブキャリアX+1を含み、第２の組み合わせはサブキャリアY及びサブキャリアY+1を含み、第３の組み合わせはサブキャリアZ及びサブキャリアZ+1を含む。第１のグループの第２の参照信号及び第２のグループの第２の参照信号は、第１の組み合わせ、第２の組み合わせ及び第３の組み合わせ；第１の組み合わせ及び第２の組み合わせ；第１の組み合わせ及び第３の組み合わせ；第２の組み合わせ及び第３の組み合わせ；第１の組み合わせ；第２の組み合わせ；又は第３の組み合わせを対応して占有する。
【０１３５】
例えば、第１のグループの第２の参照信号及び第２のグループの第２の参照信号が第１の組み合わせ及び第３の組み合わせを対応して占有することは、第１のグループの第２の参照信号がサブキャリアY及びサブキャリアZを占有し、第２のグループの第２の参照信号がサブキャリアX+1及びサブキャリアZ+1を占有することを意味する。
【０１３６】
任意選択で、Xは0以上且つ10以下の整数であり、Yは0以上且つ10以下の整数であり、Zは0以上且つ10以下の整数である。
【０１３７】
例えば、第２の参照信号はDMRSであり、通常サイクリックプレフィクスの場合、第２のパターンが図８Ａに示される。図面において、２つの物理リソースブロック、すなわち、物理リソースブロックペアは、それぞれスロットs1及びスロットs2に対応する。各物理リソースブロックは、時間領域次元において7個のOFDMシンボルを占有し、周波数領域次元において12個のサブキャリアを占有する。第２のパターンにおけるDMRS81の具体的な分布は以下の通りである。時間領域次元において、DMRS81は、第１のスロット及び第２のスロットの最後の２つのシンボルを占有する。周波数領域次元において、下から上に、第１のグループのDMRS及び第２のグループのDMRSは、サブキャリア0及びサブキャリア1の第１の組み合わせと、サブキャリア11及びサブキャリア11の第２の組み合わせとを占有する。第３のパターンにおいてDMRSにより占有されるサブキャリア0及びサブキャリア1の第１の組み合わせと、サブキャリア5及びサブキャリア6の第２の組み合わせと、サブキャリア10及びサブキャリア11の第３の組み合わせとについて、図８Ａに示す第２のパターンにおいて、第３の組み合わせは第１のスロット内のみでDMRSにより占有され、第２の組み合わせはいずれのスロット内でもDMRSにより占有されず、第１の組み合わせは第１のスロット及び第２のスロット内でDMRSにより占有される。
【０１３８】
第２の参照信号がDMRSである例が依然として使用される。第２のパターンが図８Ｂに示される。第２の参照信号は、時間領域次元において第１のスロット及び第２のスロットを占有し、周波数領域次元において第１の組み合わせ、第２の組み合わせ及び第３の組み合わせを占有する。第２の組み合わせ及び第３の組み合わせは第１のスロット内のみでDMRSにより占有され、第１の組み合わせは第１のスロット及び第２のスロット内でDMRSにより占有される。
【０１３９】
代替として、第２のパターンが図８Ｃに示される。第２の参照信号は、時間領域次元において第１のスロット及び第２のスロットを占有し、周波数領域次元において第１の組み合わせ、第２の組み合わせ及び第３の組み合わせを占有する。第１の組み合わせは第１のスロット内のみで第２の参照信号により占有され、第２の組み合わせ及び第３の組み合わせは第１のスロット及び第２のスロット内で占有される。
【０１４０】
代替として、第２のパターンが図８Ｄに示される。第２の参照信号は、時間領域次元において第１のスロット及び第２のスロットを占有し、周波数領域次元において第１の組み合わせ及び第３の組み合わせを占有する。第１の組み合わせは第１のスロット及び第２のスロット内で第２の参照信号により占有され、第３の組み合わせは第１のスロット内のみで第２の参照信号により占有される。
【０１４１】
代替として、第２のパターンが図８Ｅに示される。第２の参照信号は、時間領域次元において第１のスロット及び第２のスロットを占有し、周波数領域次元において第１の組み合わせ、第２の組み合わせ及び第３の組み合わせを占有する。第３の組み合わせは第２のスロット内のみで第２の参照信号により占有され、第２の組み合わせ及び第１の組み合わせは第１のスロット及び第２のスロット内で第２の参照信号により占有される。
【０１４２】
代替として、第２のパターンが図８Ｆに示される。第２の参照信号は、時間領域次元において第１のスロット及び第２のスロットを占有し、周波数領域次元において第１の組み合わせ及び第２の組み合わせを占有する。第３の組み合わせはいずれのスロット内でも第２の参照信号により占有されず、第２の組み合わせ及び第１の組み合わせは第１のスロット及び第２のスロット内で第２の参照信号により占有される。
【０１４３】
この場合、第２の参照信号は、第２のパターンにおいて合計で48個の方式で分布し、或いは言い換えると、合計で48種類の第２のパターンが存在する。当業者は、前述のいくつかの例示的なパターンに基づいて残りの42個の第２のパターンを導出してもよく、詳細はここでは説明しない。
【０１４４】
同様に、拡張サイクリックプレフィクスの場合、例えば、第２のパターンにおいて、DMRSは、第１の組み合わせ及び第３の組み合わせを占有し、第３の組み合わせは、第１のスロット内のみで第２の参照信号により占有され、第２の組み合わせはいずれのスロット内でも占有されず、第１の組み合わせは、第１のスロット及び第２のスロットの双方内で占有される。第２のパターンが図８Ｇに示される。さらに、代替として、第２のパターンは、図８Ｈ、図８Ｉ、図８Ｊ、図８Ｋ又は図８Ｌに示されてもよい。この場合、第２の参照信号は、第２のパターンにおいて合計で48個の方式で分布し、或いは言い換えると、合計で48種類の第２のパターンが存在する。当業者は、前述のいくつかの例示的なパターンに基づいて残りの42個の第２のパターンを導出してもよく、詳細はここでは説明しない。
【０１４５】
(2)第２のパターンにおいて、第２の参照信号は、２つのCDMグループに分割され、２つのグループの第２の参照信号は、時間領域次元において第１のスロットのみの最後の２つのシンボルをそれぞれ占有する。第１のスロット内で、第１のグループの第２の参照信号及び第２のグループの第２の参照信号は、サブキャリアX及びサブキャリアX+1の第１の組み合わせと、サブキャリアY及びサブキャリアY+1の第２の組み合わせと、サブキャリアZ及びサブキャリアZ+1の第３の組み合わせとのうち少なくとも１つを対応して占有する。
【０１４６】
２つのグループの第２の参照信号は、時間領域次元において第１のスロットの最後の２つのシンボルをそれぞれ占有し、第１のスロット内で、周波数領域次元において第１の組み合わせ、第２の組み合わせ及び第３の組み合わせ；第１の組み合わせ及び第２の組み合わせ；第１の組み合わせ及び第３の組み合わせ；第２の組み合わせ及び第３の組み合わせ；第１の組み合わせ；第２の組み合わせ；又は第３の組み合わせを占有する。
【０１４７】
任意選択で、Xは0以上且つ10以下の整数であり、Yは0以上且つ10以下の整数であり、Zは0以上且つ10以下の整数である。
【０１４８】
例えば、第２の参照信号はDMRSであり、通常サイクリックプレフィクスの場合、第２のパターンが図８Ｍに示される。図面において、２つの物理リソースブロック、すなわち、物理リソースブロックペアは、それぞれスロットs1及びスロットs2に対応する。各物理リソースブロックは、時間領域次元において7個のOFDMシンボルを占有し、周波数領域次元において12個のサブキャリアを占有する。第２のパターンにおけるDMRS82の具体的な分布は以下の通りである。時間領域次元において、DMRS82は、第１のスロットの最後の２つのシンボルを占有する。周波数領域次元において、下から上に、DMRS82は、サブキャリア0及びサブキャリア1の第１の組み合わせと、サブキャリア5及びサブキャリア6の第２の組み合わせと、サブキャリア10及びサブキャリア11の第３の組み合わせとを占有する。
【０１４９】
第２の参照信号がDMRSである例が依然として使用される。図８Ｎに示すように、第２の参照信号は、時間領域次元において第１のスロットの最後の２つのシンボルを占有し、周波数領域次元において第１の組み合わせ及び第２の組み合わせを占有する。
【０１５０】
代替として、第２のパターンが図８Ｏに示される。第２の参照信号は、時間領域次元において第１のスロットの最後の２つのシンボルを占有し、周波数領域次元において第１の組み合わせ及び第３の組み合わせを占有する。
【０１５１】
代替として、第２のパターンが図８Ｐに示される。第２の参照信号は、時間領域次元において第１のスロットの最後の２つのシンボルを占有し、周波数領域次元において第２の組み合わせ及び第３の組み合わせを占有する。
【０１５２】
代替として、第２のパターンが図８Ｑに示される。第２の参照信号は、時間領域次元において第１のスロットの最後の２つのシンボルを占有し、周波数領域次元において第２の組み合わせを占有する。
【０１５３】
代替として、第２のパターンが図８Ｒに示される。第２の参照信号は、時間領域次元において第１のスロットの最後の２つのシンボルを占有し、周波数領域次元において第３の組み合わせを占有する。
【０１５４】
代替として、第２のパターンが図８Ｓに示される。第２の参照信号は、時間領域次元において第１のスロットの最後の２つのシンボルを占有し、周波数領域次元において第１の組み合わせを占有する。
【０１５５】
この場合、第２の参照信号は、第２のパターンにおいて合計で7個の方式で分布し、或いは言い換えると、合計で7種類の第２のパターンが存在する。
【０１５６】
同様に、拡張サイクリックプレフィクスの場合、例えば、DMRSは、第１の組み合わせ及び第３の組み合わせを占有する。第２のパターンが図８Ｔに示される。さらに、代替として、第２のパターンは、図８Ｕ、図８Ｖ、図８Ｗ、図８Ｘ又は図８Ｚに示されてもよい。この場合、第２の参照信号は、第２のパターンにおいて合計で7個の方式で分布し、或いは言い換えると、合計で7種類の第２のパターンが存在する。
【０１５７】
(3)第２のパターンにおいて、第２の参照信号は、２つのCDMグループに分割され、２つのグループの第２の参照信号は、時間領域次元において第２のスロットのみの最後の２つのシンボルをそれぞれ占有する。第２のスロット内で、第１のグループの第２の参照信号及び第２のグループの第２の参照信号は、サブキャリアX及びサブキャリアX+1の第１の組み合わせと、サブキャリアY及びサブキャリアY+1の第２の組み合わせと、サブキャリアZ及びサブキャリアZ+1の第３の組み合わせとのうち少なくとも１つを対応して占有する。
【０１５８】
２つのグループの第２の参照信号は、時間領域次元において第２のスロットの最後の２つのシンボルをそれぞれ占有し、第２のスロット内で、周波数領域次元において第１の組み合わせ、第２の組み合わせ及び第３の組み合わせ；第１の組み合わせ及び第２の組み合わせ；第１の組み合わせ及び第３の組み合わせ；第２の組み合わせ及び第３の組み合わせ；第１の組み合わせ；第２の組み合わせ；又は第３の組み合わせを占有する。
【０１５９】
任意選択で、Xは0以上且つ10以下の整数であり、Yは0以上且つ10以下の整数であり、Zは0以上且つ10以下の整数である。
【０１６０】
例えば、第２の参照信号はDMRSであり、通常サイクリックプレフィクスの場合、第２のパターンが図８ａに示される。図面において、２つの物理リソースブロック、すなわち、物理リソースブロックペアは、それぞれスロットs1及びスロットs2に対応する。各物理リソースブロックは、時間領域次元において7個のOFDMシンボルを占有し、周波数領域次元において12個のサブキャリアを占有する。第２のパターンにおけるDMRS83の具体的な分布は以下の通りである。時間領域次元において、DMRS83は、第２のスロットの最後の２つのシンボルを占有する。周波数領域次元において、下から上に、DMRS83は、サブキャリア0及びサブキャリア1の第１の組み合わせと、サブキャリア5及びサブキャリア6の第２の組み合わせと、サブキャリア10及びサブキャリア11の第３の組み合わせとを占有する。第２の参照信号がDMRSである例が依然として使用される場合、代替として、第２のパターンは、図８ｂ、図８ｃ、図８ｄ、図８ｅ、図８ｆ又は図８ｇに示されてもよい。
【０１６１】
この場合、第２の参照信号は、第２のパターンにおいて合計で7個の方式で分布し、或いは言い換えると、合計で7種類の第２のパターンが存在する。
【０１６２】
同様に、拡張サイクリックプレフィクスの場合、例えば、DMRSは、第１の組み合わせ及び第３の組み合わせを占有する。第２のパターンが図８ｈに示される。さらに、代替として、第２のパターンは、図８ｉ、図８ｊ、図８ｋ、図８ｌ、図８ｍ又は図８ｎに示されてもよい。この場合、第２の参照信号は、第２のパターンにおいて合計で7個の方式で分布し、或いは言い換えると、合計で7種類の第２のパターンが存在する。
【０１６３】
図８Ａ、図８Ｂ、図８Ｃ、図８Ｄ、図８Ｅ、図８Ｆ、図８Ｇ、図８Ｈ、図８Ｉ、図８Ｊ、図８Ｋ、図８Ｌ、図８Ｍ、図８Ｎ、図８Ｏ、図８Ｐ、図８Ｑ、図８Ｒ、図８Ｓ、図８Ｔ、図８Ｕ、図８Ｖ、図８Ｗ、図８Ｘ、図８Ｙ、図８Ｚ、図８ａ、図８ｂ、図８ｃ、図８ｄ、図８ｅ、図８ｆ、図８ｇ、図８ｈ、図８ｉ、図８ｊ、図８ｋ、図８ｌ、図８ｍ又は図８ｎに基づく任意選択の実施例では、OCCの長さが2であるとき、長さが2である拡散系列は[1  1]又は[1  -1]であり、周波数領域次元における同じサブキャリア及び時間領域次元における同じスロットの最後の２つのシンボルを含む、第２のパターンにおいて２つの時間周波数リソースを使用することにより送信される同じグループ内の２つの第２の参照信号は、長さが2である拡散系列を使用することにより拡散された後に互いに直交する参照信号である。
【０１６４】
例えば、図８ｏにおいて、拡散系列はa=[1  1]及びb=[1  -1]である。図８ｏの左側に示すように、第１のグループの第２の参照信号は、第１のスロットの最後の２つのOFDMシンボルと、周波数領域次元におけるサブキャリア11及びサブキャリア1とを含む合計で４つの時間周波数リソースを占有する。図８Ｍの右側に示すように、周波数領域次元における第１のグループ内のサブキャリア11と、時間領域次元における第１のスロットの最後の２つのOFDMシンボルとを含む時間周波数リソースを使用することにより送信される２つの第２の参照信号は、a=[1  1]及びb=[1  -1]を使用することにより拡散され、周波数領域次元における第１のグループ内のサブキャリア1と、時間領域次元における第１のスロットの最後の２つのOFDMシンボルとを含む時間周波数リソースを使用することにより送信される２つの第２の参照信号は、b=[1  -1]及びa=[1  1]を使用することにより拡散される。同様に、周波数領域次元における第１のスロットの最後の２つのOFDMシンボルと、時間領域次元におけるサブキャリア0及びサブキャリア10とを含む合計で４つの時間周波数リソースを使用することにより送信される第２のグループ内の４つの第２の参照信号は、図８ｏの右側に示す方式で拡散される。
【０１６５】
図８Ａ、図８Ｂ、図８Ｃ、図８Ｄ、図８Ｅ、図８Ｆ、図８Ｇ、図８Ｈ、図８Ｉ、図８Ｊ、図８Ｋ、図８Ｌ、図８Ｍ、図８Ｎ、図８Ｏ、図８Ｐ、図８Ｑ、図８Ｒ、図８Ｓ、図８Ｔ、図８Ｕ、図８Ｖ、図８Ｗ、図８Ｘ、図８Ｙ、図８Ｚ、図８ａ、図８ｂ、図８ｃ、図８ｄ、図８ｅ、図８ｆ、図８ｇ、図８ｈ、図８ｉ、図８ｊ、図８ｋ、図８ｌ、図８ｍ又は図８ｎに基づく任意選択の実施例では、OCCの長さが4であるとき、長さが4である拡散系列はa=[1  1  1  1]、b=[1  -1  1  -1]、c=[1  1  -1  -1]又はd=[1  -1  -1  1]であり、周波数領域次元における同じサブキャリア及び時間領域次元における各スロットの最後の２つのシンボルを含む、第２のパターンにおいて４つの時間周波数リソースを使用することにより送信される同じグループ内の４つの第２の参照信号は、長さが4である拡散系列を使用することにより拡散された後に互いに直交する参照信号である。
【０１６６】
例えば、図８ｐにおいて、拡散系列はa=[1  1  1  1]、b=[1  -1  1  -1]、c=[1  1  -1  -1]及びd=[1  -1  -1  1]である。図８ｐの左側に示すように、第１のグループの第２の参照信号は、時間領域次元において第１のスロットの最後の２つのOFDMシンボル及び第２のスロットの最後の２つのOFDMシンボルを占有し、周波数領域次元においてサブキャリア1を占有する。第１のグループ内の４つの第２の参照信号は、図８ｐの右側に示すように、拡散系列a=[1  1  1  1]、b=[1  -1  1  -1]、c=[1  1  -1  -1]及びd=[1  -1  -1  1]を使用することにより拡散される。
【０１６７】
任意選択で、OCCが4であるときに使用される、第２のパターンを使用することにより送信される第２の参照信号の拡散方式は、OCCが4であるときに使用される、第３のパターンを使用することにより送信される第２の参照信号の拡散方式と異なる。OCCが4であるとき、第３のパターンを使用することにより送信される第２の参照信号について、複数の拡散系列が各時間周波数リソース上で同時に使用され、使用される拡散系列は同じである。
【０１６８】
任意選択で、第１の時間周波数リソース、第２の時間周波数リソース、第３の時間周波数リソース、第４の時間周波数リソース、第５の時間周波数リソース及び第６の時間周波数リソースが第２のパターンに存在する。
【０１６９】
第１の時間周波数リソース、第２の時間周波数リソース、第３の時間周波数リソース及び第４の時間周波数リソースは、周波数領域次元において同じサブキャリアを含み、第５の時間周波数リソース及び第６の時間周波数リソースは、周波数領域次元において他のサブキャリアを含む。第１の時間周波数リソース及び第２の時間周波数リソースは、時間領域次元においてスロットの最後の２つのシンボルを含み、第３の時間周波数リソース及び第４の時間周波数リソースは、時間領域次元において他のスロットの最後の２つのシンボルを含み、第５の時間周波数リソース及び第１の時間周波数リソースは、時間領域次元において同じシンボルを含み、第６の時間周波数リソース及び第２の時間周波数リソースは、時間領域次元において同じシンボルを含む。
【０１７０】
第１の時間周波数リソース、第２の時間周波数リソース、第３の時間周波数リソース及び第４の時間周波数リソースを使用することにより送信される４つの第２の参照信号は、長さが4である拡散系列を使用することにより拡散された後に互いに直交する参照信号であり、第１の時間周波数リソース、第２の時間周波数リソース、第５の時間周波数リソース及び第６の時間周波数リソースを使用することにより送信される４つの第２の参照信号は、長さが4である拡散系列を使用することにより拡散された後に互いに直交する参照信号である。
【０１７１】
例えば、図８ｐにおいて、拡散系列はa=[1  1  1  1]、b=[1  -1  1  -1]、c=[1  1  -1  -1]及びd=[1  -1  -1  1]である。周波数領域次元におけるサブキャリア1と、時間領域次元における第１のスロットの最後のシンボルとを含む時間周波数リソースは、第１の時間周波数リソースであり、周波数領域次元におけるサブキャリア1と、時間領域次元における第１のスロットの最後から２番目のシンボルとを含む時間周波数リソースは、第２の時間周波数リソースであり、周波数領域次元におけるサブキャリア1と、時間領域次元における第２のスロットの最後から２番目のシンボルとを含む時間周波数リソースは、第３の時間周波数リソースであり、周波数領域次元におけるサブキャリア1と、時間領域次元における第２のスロットの最後のシンボルとを含む時間周波数リソースは、第４の時間周波数リソースであり、周波数領域次元におけるサブキャリア0と、時間領域次元における第１のスロットの最後のシンボルとを含む時間周波数リソースは、第５の時間周波数リソースであり、周波数領域次元におけるサブキャリア0と、時間領域次元における第１のスロットの最後から２番目のシンボルとを含む時間周波数リソースは、第６の時間周波数リソースである。第１の時間周波数リソース、第２の時間周波数リソース、第３の時間周波数リソース及び第４の時間周波数リソースを含む合計で４つの時間周波数リソースを使用することにより送信される４つの第２の参照信号は、拡散系列a、b、c及びdを使用することにより拡散され、第１の時間周波数リソース、第２の時間周波数リソース、第５の時間周波数リソース及び第６の時間周波数リソースを使用することにより送信される４つの第２の参照信号は、拡散系列a、b、d及びcを使用することにより拡散される。
【０１７２】
任意選択で、この出願のこの実施例において提供されるチャネル推定方法では、第１の時間単位は第２の時間単位の前であり、時間単位は、第１のスロット及び第２のスロットを含むサブフレームであり、第１のパターンにおける時間周波数リソースは、第３のパターンにおける時間周波数リソースの一部であり、第１のパターンと第２のパターンとは重複せず、或いは言い換えると、第１のパターンにおける時間周波数リソースと第２のパターンにおける時間周波数リソースとの間に共通部分は存在しない。この出願において提供されるチャネル推定方法がN個の連続する時間単位内で使用されるとき、第１のパターンは第１のスロットの中のみにあり、Nは3以上である点に留意すべきである。
【０１７３】
第１のパターンは、第１の参照信号が共同チャネル推定において使用されるときに使用される、第１の時間単位内の第１の参照信号の時間周波数分布パターンである。第２のパターンは、第２の参照信号が共同チャネル推定において使用されるときに使用される、第２の時間単位内の第２の参照信号の時間周波数分布パターンである。
【０１７４】
第３のパターンは、第２の参照信号が共同チャネル推定において使用されるときに使用される、第２の時間単位内の第２の参照信号の時間周波数分布パターンである。言い換えると、第３のパターンは、第１のプリコーディング重み及び第２のプリコーディング重みが異なるときに使用される、第２の時間単位内の第２の参照信号の時間周波数分布パターンであるか、或いは第３のパターンは、第１の参照信号が第１の時間単位に存在せず、第２の参照信号が第２の時間単位に存在するときに使用される、第２の時間単位内の第２の参照信号の時間周波数分布パターンである。共同チャネル推定は、第１の参照信号及び第２の参照信号を共同で使用することにより実行されるチャネル推定である。
【０１７５】
第２の参照信号、すなわち、DMRSを送信するために使用される、第３のパターンにおける時間周波数リソースの密度が物理リソースブロックペア当たり12個の時間周波数リソースであるとき、第１のパターンにおける時間周波数リソースは第３のパターンにおける時間周波数リソースの一部であるので、第１の参照信号は第１のパターンにおいて以下の方式で分布する。
【０１７６】
第１のパターンにおいて、第１の参照信号は、時間領域次元において第１のスロットの最後の２つのシンボルを占有し、周波数領域次元において、或る間隔で現れるサブキャリアX、サブキャリアY及びサブキャリアZのうち少なくとも１つを占有する。
【０１７７】
第１のパターンにおいて、第１の参照信号は、周波数領域次元においてサブキャリアX；サブキャリアY；サブキャリアZ；サブキャリアX及びサブキャリアY；サブキャリアX及びサブキャリアZ；サブキャリアY及びサブキャリアZ；又はサブキャリアX、サブキャリアY及びサブキャリアZを占有し、サブキャリアは或る間隔で現れる。
【０１７８】
任意選択で、Xは0以上且つ11以下の整数であり、Yは0以上且つ11以下の整数であり、Zは0以上且つ11以下の整数である。
【０１７９】
例えば、第１の参照信号はCSI-RSであり、通常サイクリックプレフィクスの場合、第１のパターンが図９Ａに示される。CSI-RS91は、時間領域次元において第１のスロットの最後の２つのシンボルを占有し、周波数領域次元においてサブキャリア1及びサブキャリア11を占有する。
【０１８０】
代替として、第１のパターンが図９Ｂに示される。第１の参照信号は、時間領域次元において第１のスロットの最後の２つのシンボルを占有し、周波数領域次元においてサブキャリア1及びサブキャリア6を占有する。
【０１８１】
代替として、第１のパターンが図９Ｃに示される。第１の参照信号は、時間領域次元において第１のスロットの最後の２つのシンボルを占有し、周波数領域次元においてサブキャリア11及びサブキャリア6を占有する。
【０１８２】
代替として、第１のパターンが図９Ｄに示される。第１の参照信号は、時間領域次元において第１のスロットの最後の２つのシンボルを占有し、周波数領域次元においてサブキャリア11、サブキャリア6及びサブキャリア1を占有する。
【０１８３】
代替として、第１のパターンが図９Ｅに示される。第１の参照信号は、時間領域次元において第１のスロットの最後の２つのシンボルを占有し、周波数領域次元においてサブキャリア1を占有する。
【０１８４】
代替として、第１のパターンが図９Ｆに示される。第１の参照信号は、時間領域次元において第１のスロットの最後の２つのシンボルを占有し、周波数領域次元においてサブキャリア11を占有する。
【０１８５】
代替として、第１のパターンが図９Ｇに示される。第１の参照信号は、時間領域次元において第１のスロットの最後の２つのシンボルを占有し、周波数領域次元においてサブキャリア6を占有する。
【０１８６】
この場合、図９Ａ〜図９Ｇに示すように、合計で7種類の第１のパターンが存在する。
【０１８７】
同様に、拡張サイクリックプレフィクスの場合、例えば、CSI-RSは、時間領域次元において第１のスロットの最後の２つのシンボルを占有し、周波数領域次元においてサブキャリア1及びサブキャリア11を占有する。第１のパターンが図９Ｈに示される。さらに、代替として、第１のパターンは、図９Ｉ、図９Ｊ、図９Ｋ、図９Ｌ、図９Ｍ又は図９Ｎに示されてもよい。この場合、合計で7種類の第１のパターンが存在する。
【０１８８】
第２の参照信号、すなわち、DMRSを送信するために使用される、第３のパターンにおける時間周波数リソースの密度が物理リソースブロックペア当たり24個の時間周波数リソースであるとき、第１のパターンにおける時間周波数リソースは第３のパターンにおける時間周波数リソースの一部であるので、第１の参照信号は第１のパターンにおいて以下の方式で分布する。
【０１８９】
第１のパターンにおいて、第１の参照信号は、２つのCDMグループに分割され、２つのグループの第１の参照信号は、時間領域次元において第１のスロットの最後の２つのシンボルをそれぞれ占有する。第１のグループの第１の参照信号及び第２のグループの第１の参照信号は、サブキャリアX及びサブキャリアX+1の第１の組み合わせと、サブキャリアY及びサブキャリアY+1の第２の組み合わせと、サブキャリアZ及びサブキャリアZ+1の第３の組み合わせとのうち少なくとも１つを対応して占有する。
【０１９０】
第１のパターンにおいて、第１のグループの第１の参照信号は、周波数領域次元においてサブキャリアX及びサブキャリアX+1の第１の組み合わせ、サブキャリアY及びサブキャリアY+1の第２の組み合わせ及びサブキャリアZ及びサブキャリアZ+1の第３の組み合わせ；第１の組み合わせ及び第２の組み合わせ；第１の組み合わせ及び第３の組み合わせ；第２の組み合わせ及び第３の組み合わせ；第１の組み合わせ；第２の組み合わせ；又は第３の組み合わせを対応して占有する。
【０１９１】
言い換えると、第１のグループの第１の参照信号は、周波数領域次元においてサブキャリアX、サブキャリアY及びサブキャリアZを占有し、第２のグループの第１の参照信号は、周波数領域次元においてサブキャリアX+1、サブキャリアY+1及びサブキャリアZ+1を占有する。
【０１９２】
任意選択で、Xは0以上且つ10以下の整数であり、Yは0以上且つ10以下の整数であり、Zは0以上且つ10以下の整数である。
【０１９３】
例えば、第１の参照信号はCSI-RSであり、通常サイクリックプレフィクスの場合、第１のパターンが図９Ｏに示される。CSI-RS92は、時間領域次元において第１のスロットの最後の２つのシンボルを占有し、周波数領域次元において第１の組み合わせ及び第３の組み合わせを占有する。
【０１９４】
代替として、第１のパターンが図９Ｐに示される。第１の参照信号は、時間領域次元において第１のスロットの最後の２つのシンボルを占有し、周波数領域次元において第１の組み合わせ及び第２の組み合わせを占有する。
【０１９５】
代替として、第１のパターンが図９Ｑに示される。第１の参照信号は、時間領域次元において第１のスロットの最後の２つのシンボルを占有し、周波数領域次元において第２の組み合わせ及び第３の組み合わせを占有する。
【０１９６】
代替として、第１のパターンが図９Ｒに示される。第１の参照信号は、時間領域次元において第１のスロットの最後の２つのシンボルを占有し、周波数領域次元において第１の組み合わせ、第２の組み合わせ及び第３の組み合わせを占有する。
【０１９７】
代替として、第１のパターンが図９Ｓに示される。第１の参照信号は、時間領域次元において第１のスロットの最後の２つのシンボルを占有し、周波数領域次元において第２の組み合わせを占有する。
【０１９８】
代替として、第１のパターンが図９Ｔに示される。第１の参照信号は、時間領域次元において第１のスロットの最後の２つのシンボルを占有し、周波数領域次元において第１の組み合わせを占有する。
【０１９９】
代替として、第１のパターンが図９Ｕに示される。第１の参照信号は、時間領域次元において第１のスロットの最後の２つのシンボルを占有し、周波数領域次元において第３の組み合わせを占有する。
【０２００】
この場合、図９Ｏ〜図９Ｕに示すように、合計で7種類の第１のパターンが存在する。
【０２０１】
同様に、拡張サイクリックプレフィクスの場合、例えば、CSI-RSは、時間領域次元において第１のスロットの最後の２つのシンボルを占有し、周波数領域次元において第１の組み合わせ及び第３の組み合わせを占有する。第１のパターンが図９Ｖに示される。代替として、第１のパターンは、図９Ｗ、図９Ｘ、図９Ｙ、図９Ｚ、図９ａ又は図９ｂに示されてもよい。この場合、合計で7種類の第１のパターンが存在する。
【０２０２】
図９Ａ、図９Ｂ、図９Ｃ、図９Ｄ、図９Ｅ、図９Ｆ、図９Ｇ、図９Ｈ、図９Ｉ、図９Ｊ、図９Ｋ、図９Ｌ、図９Ｍ、図９Ｎ又は図９Ｎに基づく任意選択の実施例では、OCCの長さが2であるとき、長さが2である拡散系列は[1  1]又は[1  -1]であり、周波数領域次元における同じサブキャリアを含む、第１のパターンにおいて２つの時間周波数リソースを使用することにより送信される２つの第１の参照信号は、長さが2である拡散系列を使用することにより拡散された後に互いに直交する参照信号である。
【０２０３】
例えば、図９ｃにおいて、拡散系列はa=[1  1]及びb=[1  -1]である。図９ｃの左側に示すように、第１の参照信号は、周波数領域次元におけるサブキャリア1と、時間領域次元における第１のスロットの最後の２つのOFDMシンボルとを含む合計で２つの時間周波数リソースを占有する。２つの時間周波数リソースを使用することにより送信される２つの第１の参照信号は、図９ｃの右側に示すように、拡散系列a及びbを使用することにより拡散される。
【０２０４】
図９Ａ、図９Ｂ、図９Ｃ、図９Ｄ、図９Ｅ、図９Ｆ、図９Ｇ、図９Ｈ、図９Ｉ、図９Ｊ、図９Ｋ、図９Ｌ、図９Ｍ又は図９Ｎに基づく任意選択の実施例では、OCCの長さが4であるとき、長さが4である拡散系列はa=[1  1  1  1]、b=[1  -1  1  -1]、c=[1  1  -1  -1]又はd=[1  -1  -1  1]であり、周波数領域次元におけるサブキャリアX及びサブキャリアYを含む、第１のパターンにおいて合計で４つのシンボル時間周波数リソースを使用することにより送信される４つの第１の参照信号、及び／又は周波数領域次元におけるサブキャリアX及びサブキャリアZを含む、第１のパターンにおいて合計で４つの時間周波数リソースを使用することにより送信される４つの第１の参照信号、及び／又は周波数領域次元におけるサブキャリアY及びサブキャリアZを含む、第１のパターンにおいて合計で４つのシンボル時間周波数リソースを使用することにより送信される４つの第１の参照信号は、長さが4である拡散系列を使用することにより拡散された後に互いに直交する参照信号である。
【０２０５】
任意選択で、Xは0以上且つ11以下の整数であり、Yは0以上且つ11以下の整数であり、Zは0以上且つ11以下の整数である。
【０２０６】
例えば、図９ｄにおいて、第１の参照信号は、図９ｄの左側に示すように、時間領域次元における第１のスロットの最後の２つのシンボルと、周波数領域次元におけるサブキャリア1及びサブキャリア11とを含む合計で４つの時間周波数リソースを占有する。４つの時間周波数リソースを使用することにより送信される４つの第１の参照信号は、図９Ｊの右側に示すように、拡散系列a=[1  1  1  1]、b=[1  -1  1  -1]、c=[1  1  -1  -1]及びd=[1  -1  -1  1]を使用することにより拡散される。
【０２０７】
図９Ｏ、図９Ｐ、図９Ｑ、図９Ｒ、図９Ｓ、図９Ｔ、図９Ｕ、図９Ｖ、図９Ｗ、図９Ｘ、図９Ｙ、図９Ｚ、図９ａ又は図９ｂに基づく任意選択の実施例では、OCCの長さが2であるとき、長さが2である拡散系列はa=[1  1]又はb=[1  -1]であり、時間領域次元における同じサブキャリアを含む、第１のパターンにおいて２つの時間周波数リソースを使用することにより送信される２つの第１の参照信号は、長さが2である拡散系列を使用することにより拡散された後に互いに直交する参照信号である。
【０２０８】
例えば、図９ｅにおいて、拡散系列はa=[1  1]及びb=[1  -1]である。図９ｅの左側に示すように、第１のグループの第１の参照信号は、時間領域次元において第１のスロットの最後の２つのシンボルを占有し、周波数領域次元においてサブキャリア0及びサブキャリア10を占有する。第１のグループの参照信号は、時間領域次元における第１のスロットの最後の２つのOFDMシンボルと、周波数領域次元におけるサブキャリア0とを含む合計で２つの時間周波数リソースを占有し、２つの時間周波数リソースを使用することにより送信される２つの第１の参照信号は、拡散系列b及びaを使用することにより拡散される。図９ｅの右側に示すように、第１のグループの参照信号は、時間領域次元における第１のスロットの最後の２つのOFDMシンボルと、周波数領域次元におけるサブキャリア10とを含む合計で２つの時間周波数リソースを占有し、２つの時間周波数リソースを使用することにより送信される２つの第１の参照信号は、拡散系列a及びbを使用することにより拡散される。
【０２０９】
図９Ｏ、図９Ｐ、図９Ｑ、図９Ｒ、図９Ｓ、図９Ｔ、図９Ｕ、図９Ｖ、図９Ｗ、図９Ｘ、図９Ｙ、図９Ｚ、図９ａ又は図９ｂに基づく任意選択の実施例では、OCCの長さが4であるとき、長さが4である拡散系列はa=[1  1  1  1]、b=[1  -1  1  -1]、c=[1  1  -1  -1]又はd=[1  -1  -1  1]であり、２つの隣接するサブキャリアを含む、第１のパターンにおいて合計で４つの時間周波数リソースを使用することにより送信される４つの第１の参照信号は、長さが4である拡散系列を使用することにより拡散された後に互いに直交する参照信号である。
【０２１０】
例えば、図９ｆにおいて、拡散系列はa=[1  1  1  1]、b=[1  -1  1  -1]、c=[1  1  -1  -1]及びd=[1  -1  -1  1]である。図９ｆの左側に示すように、第１のグループの第１の参照信号は、時間領域次元において第１のスロットの最後の２つのOFDMシンボルを占有し、周波数領域次元においてサブキャリア0及びサブキャリア10を占有する。第１のグループの第１の参照信号は、図９ｆの右側に示すように、拡散系列a、b、c及びdを使用することにより拡散される。
【０２１１】
任意選択で、この出願のこの実施例において提供されるチャネル推定方法では、第１の時間単位は第２の時間単位の前であり、時間単位は、第１のスロット及び第２のスロットを含むサブフレームであり、第１のパターンにおける時間周波数リソースは、第４のパターンにおける時間周波数リソースの一部であり、第１のパターンと第２のパターンとは重複せず、或いは言い換えると、第１のパターンにおける時間周波数リソースと第２のパターンにおける時間周波数リソースとの間に共通部分は存在しない。この出願において提供されるチャネル推定方法がN個の連続する時間単位内で使用されるとき、第１のパターンは第１のスロットの中のみにあり、Nは3以上である点に留意すべきである。
【０２１２】
第１のパターンは、第１の参照信号が共同チャネル推定において使用されるときに使用される、第１の時間単位内の第１の参照信号の時間周波数分布パターンである。第４のパターンは、第１の参照信号が共同チャネル推定において使用されないときに使用される、第１の時間単位内の第１の参照信号の時間周波数分布パターンであるか、或いは第４のパターンは、第１の参照信号が第１の時間単位に存在し、第２の参照信号が第２の時間単位に存在しないときに使用される、第１の時間単位内の第１の参照信号の時間周波数分布パターンである。
【０２１３】
第１のパターンにおける時間周波数リソースは第４のパターンにおける時間周波数リソースの一部であるので、第１の参照信号は第１のパターンにおいて以下の方式で分布する。
【０２１４】
第１のパターンにおいて、第１の参照信号は、時間領域次元において第１のスロットの最後の２つのシンボルを占有し、周波数領域次元において、サブキャリアA、サブキャリアB、サブキャリアC及びサブキャリアDのうち少なくとも１つを占有する。
【０２１５】
第１のスロットに対応する、第４のパターンのパターン部分において、第１の参照信号が周波数領域次元においてサブキャリアA、サブキャリアB、サブキャリアC及びサブキャリアD；サブキャリアA、サブキャリアB及びサブキャリアC；サブキャリアA、サブキャリアB及びサブキャリアD；サブキャリアA、サブキャリアC及びサブキャリアD；サブキャリアA及びサブキャリアB；サブキャリアA及びサブキャリアC；サブキャリアA及びサブキャリアD；サブキャリアB及びサブキャリアC；サブキャリアB及びサブキャリアD；サブキャリアC及びサブキャリアD；サブキャリアA；サブキャリアB；サブキャリアC；又はサブキャリアDを占有するとき、第１のスロットに対応する、第４のパターンのパターン部分において、第１の参照信号は、周波数領域次元においてサブキャリアA、サブキャリアB、サブキャリアC及びサブキャリアDのうち少なくとも１つ；サブキャリアA、サブキャリアB及びサブキャリアCのうち少なくとも１つ；サブキャリアA、サブキャリアB及びサブキャリアDのうち少なくとも１つ；サブキャリアA、サブキャリアC及びサブキャリアDのうち少なくとも１つ；サブキャリアA及びサブキャリアBのうち少なくとも１つ；サブキャリアA及びサブキャリアCのうち少なくとも１つ；サブキャリアA及びサブキャリアDのうち少なくとも１つ；サブキャリアB及びサブキャリアCのうち少なくとも１つ；サブキャリアB及びサブキャリアDのうち少なくとも１つ；サブキャリアC及びサブキャリアDのうち少なくとも１つ；サブキャリアA；サブキャリアB；サブキャリアC；又はサブキャリアDを占有する。
【０２１６】
任意選択で、Aは0以上且つ10以下の整数であり、Bは0以上且つ10以下の整数であり、Cは0以上且つ10以下の整数であり、Dは0以上且つ10以下の整数である。
【０２１７】
通常サイクリックプレフィクスの場合、例えば、第１のパターンにおいて、第１の参照信号、すなわち、CSI-RSは、時間領域次元において第１のスロットの最後の２つのシンボルを占有し、周波数領域次元においてサブキャリアA、サブキャリアB及びサブキャリアDを占有する。第１のパターンが図１０Ａに示される。CSI-RS10は、時間領域次元において第１のスロットの最後の２つのシンボルを占有し、周波数領域次元においてサブキャリア3、サブキャリア4及びサブキャリア10を占有する。代替として、第１のパターンは、図１０Ｂ、図１０Ｃ又は図１０Ｄに示されてもよい。この場合、合計で15種類の第１のパターンが存在する。当業者は、前述のいくつかの例示的なパターンに基づいて残りの11個の第２のパターンを導出してもよく、詳細はここでは説明しない。
【０２１８】
同様に、拡張サイクリックプレフィクスの場合、例えば、第１のパターンにおいて、第１の参照信号、すなわち、CSI-RSは、時間領域次元において第１のスロットの最後の２つのシンボルを占有し、周波数領域次元においてサブキャリアA、サブキャリアB及びサブキャリアDを占有する。第１のパターンが図１０Ｅに示される。CSI-RSは、時間領域次元において第１のスロットの最後の２つのシンボルを占有し、周波数領域次元においてサブキャリア3、サブキャリア4及びサブキャリア10を占有する。代替として、第１のパターンは、図１０Ｆ、図１０Ｇ又は図１０Ｈに示されてもよい。この場合、合計で15種類の第１のパターンが存在する。当業者は、前述のいくつかの例示的なパターンに基づいて残りの11個の第２のパターンを導出してもよく、詳細はここでは説明しない。
【０２１９】
前述の実施例では、第２の参照信号を送信するために使用される、第３のパターンにおける時間周波数リソースの密度が物理リソースブロックペア当たり12個の時間周波数リソースであり、OCCの長さが4であるとき、第１の参照信号及び第２の参照信号は合計で４つのシンボルを占有する点に留意すべきである。４つの異なるシンボルのうち２つは第１のスロットに属し、４つの異なるシンボルのうち他の２つは第２のスロットに属する。４つの参照信号は以下の種類に分割される。
【０２２０】
(1)第１のパターンにおいて２つのシンボルを含む２つの時間周波数リソースを使用することにより送信される第１の参照信号、及び第２のパターンにおいて２つのシンボルを含む他の２つの時間周波数リソースを使用することにより送信される第２の参照信号は、長さが4である拡散系列を使用することにより拡散された後に互いに直交する参照信号であり、４つの時間周波数リソースは、周波数領域次元における同じサブキャリアと、時間領域次元における４つの異なるシンボルとを含む。
【０２２１】
長さが4である拡散系列は、a=[1  1  1  1]、b=[1  -1  1  -1]、c=[1  1  -1  -1]又はd=[1  -1  -1  1]である。
【０２２２】
第１の時間単位内の第１の参照信号が第１のパターンに従って分布し、第２の時間単位内の第２の参照信号が第２のパターンに従って分布することを仮定すると、第１の参照信号及び第２の参照信号の分布方式は図１１Ａに示される。
【０２２３】
例えば、図１１Ｂにおいて、拡散系列は、a=[1  1  1  1]、b=[1  -1  1  -1]、c=[1  1  -1  -1]及びd=[1  -1  -1  1]である。周波数領域次元におけるサブキャリア6と、時間領域次元における第１のスロットの最後の２つのOFDMシンボルとを含む第１の時間単位内の２つの時間周波数リソースと、周波数領域次元におけるサブキャリア6と、時間領域次元における第２のスロットの最後の２つのOFDMシンボルとを含む第２の時間単位内の２つの時間周波数リソースとを使用して送信される４つの参照信号は、拡散系列a、b、c及びdを使用することにより拡散される。
【０２２４】
(2)第１のパターンにおいて２つのシンボルを含む２つの時間周波数リソースを使用することにより送信される第１の参照信号、及び第２のパターンにおいて２つのシンボルを含む他の２つの時間周波数リソースを使用することにより送信される第２の参照信号は、長さが4である拡散系列を使用することにより拡散された後に互いに直交する参照信号であり、４つの時間周波数リソースは、周波数領域次元における２つの隣接するサブキャリアと、時間領域次元における４つの異なるシンボルとを含む。
【０２２５】
第１の参照信号及び第２の参照信号の分布方式が図１１Ａに示され、図１１Ｂが依然として例として使用されることが仮定される。拡散系列は、a=[1  1  1  1]、b=[1  -1  1  -1]、c=[1  1  -1  -1]及びd=[1  -1  -1  1]である。周波数領域次元におけるサブキャリア6と、時間領域次元における第１のスロットの最後の２つのOFDMシンボルとを含む第１の時間単位内の２つの時間周波数リソースと、周波数領域次元におけるサブキャリア1と、時間領域次元における第１のスロットの最後の２つのOFDMシンボルとを含む第２の時間単位内の２つの時間周波数リソースとを使用して送信される４つの参照信号は、拡散系列a、b、d及びcを使用することにより拡散される。
【０２２６】
この出願の実施例において言及される「第１」、「第２」及び「第３」のような序数は、序数が内容に従って順序を明確に表さない限り、区別のためのみとして理解されるべきである点に留意すべきである。
【０２２７】
図１２は、この出願の他の例示的な実施例によるチャネル推定方法のフローチャートである。この出願のこの実施例では、チャネル推定方法が図１に示す実現環境に適用される例が説明のために使用される。図１２に示すように、チャネル推定方法は以下のステップを含む。
【０２２８】
ステップ1201.第２のネットワークデバイスは、設定情報を第１のネットワークデバイスに送出する。
【０２２９】
設定情報は、第１の参照信号の第１のプリコーディング重み及び第２の参照信号の第２のプリコーディング重みが同じであるか否かを示すために使用される。
【０２３０】
任意選択で、設定情報はダイナミックシグナリングを使用することにより設定されるか、或いは高レイヤシグナリングを使用することにより設定される。
【０２３１】
設定情報がダイナミックシグナリングを使用することにより設定される場合、第２のネットワークデバイスは、第２のネットワークデバイスがデータを第１のネットワークデバイスに送出する必要があるときに、設定情報を第１のネットワークデバイスに送出する。例えば、無線フレームにおいて、第２のネットワークデバイスは、サブフレーム5内でデータを第１のネットワークデバイスに送出することをスケジューリングする必要があり、第２のネットワークデバイスは、下りリンクスケジューリング情報を使用することにより、サブフレーム5内で設定情報を第１のネットワークデバイスに送出する。設定情報は、サブフレーム5内の第２の参照信号の第２のプリコーディング重みがサブフレーム3内の第１の参照信号の第１のプリコーディング重みと同じであることを示すために使用される。さらに、設定情報は動的に設定されるので、設定情報は現在のスケジューリングプロセスのみで有効である。
【０２３２】
設定情報が高レイヤシグナリングを使用することにより設定される場合、第２のネットワークデバイスは、高レイヤシグナリングに従って、設定情報を第１のネットワークデバイスに送出する。高レイヤシグナリングは、通常では無線アクセスRNCにより送出される。例えば、第２のネットワークデバイスは、高レイヤシグナリングに従って、設定情報を第１のネットワークデバイスに送出し、設定情報は、サブフレームi内の第１のプリコーディング重み及びサブフレームi+1内の第２のプリコーディング重みが同じであることを示すために使用され、この場合、設定情報は次の設定情報が受信される前まで有効である。
【０２３３】
ステップ1202.第１のネットワークデバイスは、設定情報を受信する。
【０２３４】
設定情報がダイナミックシグナリングを使用することにより置換されるとき、第２のネットワークデバイスにより送出される第１の参照信号を受信する前に、毎回、第１のネットワークデバイスは、ダイナミックシグナリングを使用することによる置換を通じて取得される設定情報を受信する。
【０２３５】
設定情報が高レイヤシグナリングを使用することにより置換されるとき、第１のネットワークデバイスは、第２のネットワークデバイスにより送出される第１の参照信号を受信する前に、設定情報を受信し、設定情報が変化しない場合、第１のネットワークデバイスは、第２のネットワークデバイスにより送出される第１の参照信号を受信するときに、設定情報を再び受信する必要はない。
【０２３６】
第２のネットワークデバイスにより、設定情報を第１のネットワークデバイスに送出する代わりに、任意選択の実現方式では、予め規定されたルールが、第１のネットワークデバイス及び第２のネットワークデバイスの双方に予め記憶される点に留意すべきである。具体的には、予め規定されたルールは、通信プロトコルにおいて事前に合意される。予め規定されたルールは、第１のネットワークデバイス及び第２のネットワークデバイスに予め記憶され、第２のネットワークデバイスは、設定情報を第１のネットワークデバイスに送出する必要はない。予め規定されたルールは、長期間に有効である情報である。言い換えると、ステップ1201及びステップ1202は実行されない。
【０２３７】
ステップ1203.第１のネットワークデバイスは、設定情報に基づいて、第１の参照信号の第１のプリコーディング重み及び第２の参照信号の第２のプリコーディング重みが同じであるか否かを決定する。
【０２３８】
予め規定されたルールが第１のネットワークデバイスに予め記憶されるとき、第１のネットワークデバイスは、予め規定されたルールに従って、第１のプリコーディング重み及び第２のプリコーディング重みが同じであるか否かを決定する点に留意すべきである。
【０２３９】
第１のプリコーディング重み及び第２のプリコーディング重みが同じである場合、ステップ1206が実行される。
【０２４０】
ステップ1204.第１のプリコーディング重み及び第２のプリコーディング重みが同じであるとき、第２のネットワークデバイスは、第１のパターンに従って第１の時間単位内に第１の参照信号を送出する。
【０２４１】
第１の参照信号はチャネル測定のための参照信号である。
【０２４２】
任意選択で、第１の参照信号はCSI-RS又はCRSである。
【０２４３】
第２のネットワークデバイスは、設定情報に基づいて、第１のプリコーディング重み及び第２のプリコーディング重みが同じであるか否かを決定する。第１のプリコーディング重み及び第２のプリコーディング重みが同じである場合、第２のネットワークデバイスは、第１のパターンに従って第１の時間単位内に第１の参照信号を送出する。
【０２４４】
予め規定されたルールが第２のネットワークデバイスに予め記憶されるとき、第２のネットワークデバイスは、設定情報を第１のネットワークデバイスに送出しない点に留意すべきである。具体的には、第２のネットワークデバイスは、予め規定されたルールに従って、第１のプリコーディング重み及び第２のプリコーディング重みが同じであるか否かを決定する。第１のプリコーディング重み及び第２のプリコーディング重みが同じである場合、第２のネットワークデバイスは、第１のパターンに従って第１の時間単位内に第１の参照信号を送出する。
【０２４５】
ステップ1205.第２のネットワークデバイスは、第２のパターンに従って第２の時間単位内に第２の参照信号を送出する。
【０２４６】
第２の参照信号は復調のための参照信号である。
【０２４７】
任意選択で、第２の参照信号はDMRSである。
【０２４８】
第１のプリコーディング重み及び第２のプリコーディング重みが同じであるとき、第２のネットワークデバイスは、第２のパターンに従って第１の時間単位内に第２の参照信号を送出する。
【０２４９】
第１のプリコーディング重み及び第２のプリコーディング重みが同じであるとき、第１の参照信号及び第２の参照信号は、第２の時間単位内にチャネルに対する共同チャネル推定に使用される。ポート数又はランクが同じであるという条件で、第２のパターンにおいて第２の参照信号により占有される時間周波数リソースの数は、第３のパターンにおいて第２の参照信号により占有される時間周波数リソースの数未満である。
【０２５０】
第１のパターンは、第１の参照信号が共同チャネル推定に使用されるときに使用される、第１の時間単位内の第１の参照信号の時間周波数分布パターンである。
【０２５１】
第２のパターンは、第２の参照信号が共同チャネル推定に使用されるときに使用される、第２の時間単位内の第２の参照信号の時間周波数分布パターンである。
【０２５２】
第３のパターンは、第１のプリコーディング重み及び第２のプリコーディング重みが異なるときに使用される、第２の時間単位内の第２の参照信号の時間周波数分布パターンであるか、或いは第３のパターンは、第１の参照信号が第１の時間単位に存在せず、第２の参照信号が第２の時間単位に存在するときに使用される、第２の時間単位内の第２の参照信号の時間周波数分布パターンである。
【０２５３】
第４のパターンは、第１の参照信号が共同チャネル推定において使用されないときに使用される、第１の時間単位内の第１の参照信号の時間周波数分布パターンであるか、或いは第４のパターンは、第１の参照信号が第１の時間単位に存在し、第２の参照信号が第２の時間単位に存在しないときに使用される、第１の時間単位内の第１の参照信号の時間周波数分布パターンである。
【０２５４】
第１のパターン、第２のパターン、第３のパターン及び第４のパターンは、前述において詳しく述べられており、ここでは再び説明しない。
【０２５５】
ステップ1206.第１のプリコーディング重み及び第２のプリコーディング重みが同じである場合、第１のネットワークデバイスは、第１のパターンに従って第１の時間単位内に第１の参照信号を受信し、第２のパターンに従って第２の時間単位内に第２の参照信号を受信する。
【０２５６】
第１のネットワークデバイスが第１の参照信号及び第２の参照信号を受信した後に、第１のネットワークデバイスは、第１のネットワークデバイスが第２の時間単位内にチャネルに対する共同チャネル推定をサポートするか否かを決定する必要が更にある。第１のネットワークデバイスが第２の時間単位内にチャネルに対するチャネル推定をサポートする場合、ステップ1207が実行される。そうでない場合、第１のネットワークデバイスは、第２の時間単位内にチャネルに対して共同チャネル推定を実行しない。
【０２５７】
ステップ1207.第１のネットワークデバイスは、第１の参照信号及び第２の参照信号に基づいて、第２の時間単位内にチャネルに対して共同チャネル推定を実行し、共同チャネル推定結果に基づいて、第２の時間単位内にデータを復調する。
【０２５８】
任意選択で、マルチプル・インプット・マルチプル・アウトプット（英文：Multiple  Input  Multiple  Output,  略称：MIMO）システム又は5Gシステムでは、共同チャネル推定のための第１の参照信号及び第２の参照信号はプリコーディングされており、第１の参照信号の第１のプリコーディング重み及び第２の参照信号の第２のプリコーディング重みは同じである。非MIMOシステムでは、第１の参照信号及び第２の参照信号はプリコーディングされていない。
【０２５９】
データは、以下の方式で共同チャネル推定結果に基づいて復調される。
【０２６０】
参照信号は第１の参照信号又は第２の参照信号である。
【０２６１】
(1)１つのOFDMシンボル内に参照信号が存在する場合、このOFDMシンボル内で、参照信号を送信するための２つの時間周波数リソースの間のチャネルは、参照信号を送信するための２つの時間周波数リソースのチャネルの補間を通じて取得され、２つの参照信号を送信するための時間周波数リソースの外側の時間周波数リソースのチャネルは、当該チャネルに最も近い、参照信号を送信するための時間周波数リソースのチャネルの線形外挿を通じて取得される。
【０２６２】
(2)１つのOFDMシンボル内に参照信号が存在しない場合、データ情報を搬送するサブキャリア上の、チャネルが推定された２つのOFDMシンボルの間のチャネルは、チャネルが推定された２つのOFDMチャネルのチャネルの補間を通じて取得される。データ情報を搬送し且つチャネルが推定された２つのOFDMシンボルの間にないサブキャリアのチャネルは、サブキャリアのチャネルに最も近く且つチャネルが推定されたOFDMシンボルのチャネルの外挿を通じて取得される必要がある。
【０２６３】
第１の時間単位及び第２の時間単位内に第１のネットワークデバイスにより受信される参照信号が図１３に示されることが仮定される。第１の参照信号は第１の時間単位内に受信され、第２の参照信号は第２の時間単位内に受信される。第２の時間単位の第２のスロット内の最後のOFDMシンボルにおいて、第１の参照信号を送信するための時間周波数リソース31と、第２の参照信号を送信するための時間周波数リソース32との間のチャネル40は、時間周波数リソース31及び時間周波数リソース32のチャネルの補間を通じて取得される。同様に、第２の時間単位の第２のスロット内の最後のOFDMシンボルのチャネル及び最後から２番目のOFDMシンボルのチャネルが推定できる。第２の参照信号を送信するための時間周波数リソース36の外側のチャネル41は、時間周波数リソース36のチャネルの線形外挿を通じて取得される。第１の参照信号を送信するための時間周波数リソース35に対応するOFDMシンボルについてチャネルが推定されている場合、データを搬送する番号42のサブキャリア11上の、第１の参照信号を送信するための時間周波数リソース35と、第２の参照信号を送信するための時間周波数リソース34との間のチャネルは、時間周波数リソース35に対応するOFDMシンボルのチャネルと、時間周波数リソース34に対応するOFDMシンボルのチャネルとの補間を通じて取得されてもよい。チャネルが推定された２つのOFDMシンボルの間のデータを搬送しないサブキャリア、例えば、第２の参照信号を送信するための時間周波数リソース32に対応するサブキャリア5上のチャネル43は、チャネルが推定され且つ第２の参照信号を送信するための時間周波数リソース34に対応するOFDMシンボルのチャネルの外挿を通じて取得される。このように、第２の時間単位内にデータを復調するために、第２の時間単位内の全てのチャネルが推定できる。
【０２６４】
ステップ1201、ステップ1204及びステップ1205は、第２のネットワークデバイス側における参照信号送出方法として別々に実現されてもよく、ステップ1202、ステップ1203、ステップ1206及びステップ1207は、第１のネットワークデバイス側におけるチャネル推定方法として別々に実現されてもよい点に留意すべきである。
【０２６５】
要するに、この出願のこの実施例において提供されるチャネル推定方法によれば、第１のプリコーディング重み及び第２のプリコーディング重みが同じであるとき、第２のネットワークデバイスは、第１のパターンに従って第１の時間単位内に第１の参照信号を送出し、第２のパターンに従って第２の時間単位内に第２の参照信号を送出し、第１のネットワークデバイスが、第１のプリコーディング重み及び第２のプリコーディング重みが同じであると決定したとき、第１のネットワークデバイスは、異なるパターンに従って異なる時間単位内に第１の参照信号及び第２の参照信号を受信し、次に、第１の参照信号及び第２の参照信号に基づいて、第２の時間単位内にチャネルに対してチャネル推定を実行する。それぞれ第１のパターン及び第２のパターンに従って受信される第１の参照信号及び第２の参照信号により占有されるリソースは、共同チャネル推定が実行されないときに第３のパターン及び第４のパターンにより占有されるリソースより少ないので、通信システムのスループットが確保でき、一方で、チャネル推定効果が最適化され、無線リソースオーバーヘッドが低減され、通信システムの性能が改善される。
【０２６６】
図１２に示す実施例に基づく任意選択の実施例では、第１のプリコーディング重み及び第２のプリコーディング重みが異なるとき、第１の参照信号及び第２の参照信号は、共同チャネル推定に使用されない。第２のネットワークデバイスは、第１のパターンに従って第１の時間単位内に第１の参照信号を送出せず、第２のパターンに従って第２の時間単位内に第１の参照信号を送出しない。言い換えると、ステップ1204はステップ1204aにより置換されてステップ1204aとして実現され、ステップ1205はステップ1205aにより置換されてステップ1205aとして実現され、ステップ1206はステップ1206aにより置換されてステップ1206aとして実現され、ステップ1207はステップ1207aにより置換されてステップ1207aとして実現される。チャネル推定方法は図１４に示される。
【０２６７】
ステップ1204a.第１のプリコーディング重み及び第２のプリコーディング重みが異なるとき、第２のネットワークデバイスは、第４のパターンに従って第１の時間単位内に第１の参照信号を送出する。
【０２６８】
第４のパターンは、第１のプリコーディング重み及び第２のプリコーディング重みが異なるときに使用される、第１の時間単位内の第１の参照信号の時間周波数分布パターンである。言い換えると、第４のパターンは、第１の参照信号が共同チャネル推定において使用されないときに使用される、第１の時間単位内の第１の参照信号の時間周波数分布パターンである。
【０２６９】
ステップ1205a.第１のプリコーディング重み及び第２のプリコーディング重みが異なるとき、第２のネットワークデバイスは、第３のパターンに従って第２の時間単位内に第２の参照信号を送出する。
【０２７０】
第３のパターンは、第１のプリコーディング重み及び第２のプリコーディング重みが異なるときに使用される、第２の時間単位内の第２の参照信号の時間周波数分布パターンである。言い換えると、第３のパターンは、第２の参照信号が共同チャネル推定において使用されないときに使用される、第２の時間単位内の第２の参照信号の時間周波数分布パターンである。
【０２７１】
ステップ1206a.第１のプリコーディング重み及び第２のプリコーディング重みが異なる場合、第１のネットワークデバイスは、第４のパターンに従って第１の時間単位内に第１の参照信号を受信し、第３のパターンに従って第２の時間単位内に第２の参照信号を受信する。
【０２７２】
ステップ1207a.第１のネットワークデバイスは、第１の参照信号に基づいて、チャネル推定を実行し、チャネル推定結果に基づいて、第２の時間単位内にデータを復調する。
【０２７３】
当業者は、前述の実施例をチャネル推定方法の他の実現方式に組み合わせてもよく、詳細はここでは説明しない点に留意すべきである。
【０２７４】
図１５は、この出願の実施例によるチャネル推定装置のブロック図である。チャネル推定装置は、全体のチャネル推定装置又はチャネル推定装置の一部になるように、ソフトウェア、ハードウェア又はこれらの組み合わせを使用することにより実現されてもよい。チャネル推定装置は、
ステップ603の機能を実現するように構成された受信ユニット1510と、
ステップ604の機能を実現するように構成された復調ユニット1520と
を含む。
【０２７５】
関係する詳細について、図６に示す方法の実施例を参照する。
【０２７６】
受信ユニット1510は、第１のネットワークデバイスの通信コンポーネントを使用することにより実現されてもよく、復調ユニット1520は、メモリ内の復調モジュールを実行することにより、第１のネットワークデバイスのプロセッサにより実現される点に留意すべきである。
【０２７７】
図１５は、この出願の他の実施例によるチャネル推定装置のブロック図である。チャネル推定装置は、全体のチャネル推定装置又はチャネル推定装置の一部になるように、ソフトウェア、ハードウェア又はこれらの組み合わせを使用することにより実現されてもよい。チャネル推定装置は、
ステップ1203、ステップ1202、ステップ1206及びステップ1206aの機能を実現するように構成された受信ユニット1510と、
ステップ1207及びステップ1207aの機能を実現するように構成された復調ユニット1520と
を含む。
【０２７８】
関係する詳細について、図１２又は図１４に示す方法の実施例を参照する。
【０２７９】
受信ユニット1510は、通信コンポーネントを使用することにより、第１のネットワークデバイスのプロセッサにより実現されてもよく、復調ユニット1520は、メモリ内の復調モジュールを使用することにより、第１のネットワークデバイスのプロセッサにより実現される点に留意すべきである。
【０２８０】
この出願の実施例はチャネル推定装置を更に提供する。当該装置は、プロセッサと、メモリとを含み、メモリは、少なくとも１つの命令、少なくとも１つのプログラム、コードセット又は命令セットを記憶し、少なくとも１つの命令、少なくとも１つのプログラム、コードセット又は命令セットは、図６のステップ603及びステップ604、図１２のステップ1202、ステップ1203、ステップ1206及びステップ1207、並びに図１４のステップ1206a及びステップ1207aに記載のチャネル推定方法を実現するように、プロセッサによりロード及び実行される。
【０２８１】
この出願の実施例はコンピュータ読み取り可能記憶媒体を更に提供する。記憶媒体は、少なくとも１つの命令、少なくとも１つのプログラム、コードセット又は命令セットを記憶し、少なくとも１つの命令、少なくとも１つのプログラム、コードセット又は命令セットは、図６のステップ603及びステップ604、図１２のステップ1202、ステップ1203、ステップ1206及びステップ1207、並びに図１４のステップ1206a及びステップ1207aに記載のチャネル推定方法を実現するように、プロセッサによりロード及び実行される。
【０２８２】
図１６は、この出願の実施例による参照信号送出装置のブロック図である。参照信号送出装置は、全体の参照信号送出装置又は参照信号送出装置の一部になるように、ソフトウェア、ハードウェア又はこれらの組み合わせを使用することにより実現されてもよい。参照信号送出装置は、
ステップ601及びステップ602の機能を実現するように構成された送出ユニット1610を含む。
【０２８３】
関係する詳細について、図６に示す方法の実施例を参照する。
【０２８４】
送出ユニット1610は、通信コンポーネントを使用することにより、第２のネットワークデバイスのプロセッサにより実現されてもよい点に留意すべきである。
【０２８５】
図１６は、この出願の他の実施例による参照信号送出装置のブロック図である。参照信号送出装置は、全体の参照信号送出装置又は参照信号送出装置の一部になるように、ソフトウェア、ハードウェア又はこれらの組み合わせを使用することにより実現されてもよい。参照信号送出装置は、
ステップ1201、ステップ1204、ステップ1204a、ステップ1205及びステップ1205aの機能を実現するように構成された送出ユニット1610を含む。
【０２８６】
関係する詳細について、図１２又は図１４に示す方法の実施例を参照する。
【０２８７】
送出ユニット1610は、通信コンポーネントを使用することにより、第２のネットワークデバイスのプロセッサにより実現されてもよい点に留意すべきである。
【０２８８】
この出願の実施例は参照信号送出装置を更に提供する。当該装置は、プロセッサと、メモリとを含み、メモリは、少なくとも１つの命令、少なくとも１つのプログラム、コードセット又は命令セットを記憶し、少なくとも１つの命令、少なくとも１つのプログラム、コードセット又は命令セットは、図６のステップ601及びステップ602、図１２のステップ1201、ステップ1204及びステップ1205、並びに図１４のステップ1204a及びステップ1205aに記載の参照信号送出方法を実現するように、プロセッサによりロード及び実行される。
【０２８９】
この出願の実施例はコンピュータ読み取り可能記憶媒体を更に提供する。記憶媒体は、少なくとも１つの命令、少なくとも１つのプログラム、コードセット又は命令セットを記憶し、少なくとも１つの命令、少なくとも１つのプログラム、コードセット又は命令セットは、図６のステップ601及びステップ602、図１２のステップ1201、ステップ1204及びステップ1205、並びに図１４のステップ1204a及びステップ1205aに記載の参照信号送出方法を実現するように、プロセッサによりロード及び実行される。
【０２９０】
前述の実施例において提供されるチャネル推定装置がチャネル推定を実行するとき、前述の機能モジュールの分割のみが、説明のための例として使用される点に留意すべきである。実際の用途では、前述の機能は、実現方式の要件に基づいて異なる機能モジュールに割り当てられてもよい。言い換えると、デバイスの内部構成は、前述の機能の全部又は一部を実現するために異なる機能モジュールに分割される。さらに、前述の実施例において提供されるチャネル推定装置は、チャネル推定方法の実施例と同じ概念に基づく。具体的な実現プロセスについて、方法の実施例を参照し、詳細はここでは再び説明しない。
【０２９１】
この出願の前述の実施例のシーケンス番号は単に例示目的のためのものであり、実施例の優先度を示すことを意図するものではない。
【０２９２】
当業者は、実施例のステップの全部又は一部がハードウェア又は関係するハードウェアに命令するソフトウェアにより実現されてもよいことを理解し得る。プログラムはコンピュータ読み取り可能記憶媒体に記憶されてもよい。記憶媒体は、読み取り専用メモリ、磁気ディスク、光ディスク等でもよい。
【図１】
2019528650.tif 000003
【図２】
2019528650.tif 000004
【図３】
2019528650.tif 000005
【図４Ａ】
2019528650.tif 000006
【図４Ｂ】
2019528650.tif 000007
【図４Ｃ】
2019528650.tif 000008
【図４Ｄ】
2019528650.tif 000009
【図５Ａ】
2019528650.tif 000010
【図５Ｂ】
2019528650.tif 000011
【図６】
2019528650.tif 000012
【図７Ａ】
2019528650.tif 000013
【図７Ｂ】
2019528650.tif 000014
【図７Ｃ】
2019528650.tif 000015
【図７Ｄ】
2019528650.tif 000016
【図７Ｅ】
2019528650.tif 000017
【図７Ｆ】
2019528650.tif 000018
【図７Ｇ】
2019528650.tif 000019
【図７Ｈ】
2019528650.tif 000020
【図７Ｉ】
2019528650.tif 000021
【図７Ｊ】
2019528650.tif 000022
【図７Ｋ】
2019528650.tif 000023
【図７Ｌ】
2019528650.tif 000024
【図７Ｍ】
2019528650.tif 000025
【図７Ｎ】
2019528650.tif 000026
【図７Ｏ】
2019528650.tif 000027
【図７Ｐ】
2019528650.tif 000028
【図７Ｑ】
2019528650.tif 000029
【図７Ｒ】
2019528650.tif 000030
【図７Ｓ】
2019528650.tif 000031
【図７Ｔ】
2019528650.tif 000032
【図７Ｕ】
2019528650.tif 000033
【図７Ｖ】
2019528650.tif 000034
【図７Ｗ】
2019528650.tif 000035
【図７Ｘ】
2019528650.tif 000036
【図７Ｙ】
2019528650.tif 000037
【図７Ｚ】
2019528650.tif 000038
【図７ａ】
2019528650.tif 000039
【図７ｂ】
2019528650.tif 000040
【図７ｃ】
2019528650.tif 000041
【図７ｄ】
2019528650.tif 000042
【図７ｅ】
2019528650.tif 000043
【図７ｆ】
2019528650.tif 000044
【図７ｇ】
2019528650.tif 000045
【図７ｈ】
2019528650.tif 000046
【図７ｉ】
2019528650.tif 000047
【図７ｊ】
2019528650.tif 000048
【図７ｋ】
2019528650.tif 000049
【図７ｌ】
2019528650.tif 000050
【図７ｍ】
2019528650.tif 000051
【図７ｎ】
2019528650.tif 000052
【図７ｏ】
2019528650.tif 000053
【図７ｐ】
2019528650.tif 000054
【図７ｑ】
2019528650.tif 000055
【図８Ａ】
2019528650.tif 000056
【図８Ｂ】
2019528650.tif 000057
【図８Ｃ】
2019528650.tif 000058
【図８Ｄ】
2019528650.tif 000059
【図８Ｅ】
2019528650.tif 000060
【図８Ｆ】
2019528650.tif 000061
【図８Ｇ】
2019528650.tif 000062
【図８Ｈ】
2019528650.tif 000063
【図８Ｉ】
2019528650.tif 000064
【図８Ｊ】
2019528650.tif 000065
【図８Ｋ】
2019528650.tif 000066
【図８Ｌ】
2019528650.tif 000067
【図８Ｍ】
2019528650.tif 000068
【図８Ｎ】
2019528650.tif 000069
【図８Ｏ】
2019528650.tif 000070
【図８Ｐ】
2019528650.tif 000071
【図８Ｑ】
2019528650.tif 000072
【図８Ｒ】
2019528650.tif 000073
【図８Ｓ】
2019528650.tif 000074
【図８Ｔ】
2019528650.tif 000075
【図８Ｕ】
2019528650.tif 000076
【図８Ｖ】
2019528650.tif 000077
【図８Ｗ】
2019528650.tif 000078
【図８Ｘ】
2019528650.tif 000079
【図８Ｙ】
2019528650.tif 000080
【図８Ｚ】
2019528650.tif 000081
【図８ａ】
2019528650.tif 000082
【図８ｂ】
2019528650.tif 000083
【図８ｃ】
2019528650.tif 000084
【図８ｄ】
2019528650.tif 000085
【図８ｅ】
2019528650.tif 000086
【図８ｆ】
2019528650.tif 000087
【図８ｇ】
2019528650.tif 000088
【図８ｈ】
2019528650.tif 000089
【図８ｉ】
2019528650.tif 000090
【図８ｊ】
2019528650.tif 000091
【図８ｋ】
2019528650.tif 000092
【図８ｌ】
2019528650.tif 000093
【図８ｍ】
2019528650.tif 000094
【図８ｎ】
2019528650.tif 000095
【図８ｏ】
2019528650.tif 000096
【図８ｐ】
2019528650.tif 000097
【図９Ａ】
2019528650.tif 000098
【図９Ｂ】
2019528650.tif 000099
【図９Ｃ】
2019528650.tif 000100
【図９Ｄ】
2019528650.tif 000101
【図９Ｅ】
2019528650.tif 000102
【図９Ｆ】
2019528650.tif 000103
【図９Ｇ】
2019528650.tif 000104
【図９Ｈ】
2019528650.tif 000105
【図９Ｉ】
2019528650.tif 000106
【図９Ｊ】
2019528650.tif 000107
【図９Ｋ】
2019528650.tif 000108
【図９Ｌ】
2019528650.tif 000109
【図９Ｍ】
2019528650.tif 000110
【図９Ｎ】
2019528650.tif 000111
【図９Ｏ】
2019528650.tif 000112
【図９Ｐ】
2019528650.tif 000113
【図９Ｑ】
2019528650.tif 000114
【図９Ｒ】
2019528650.tif 000115
【図９Ｓ】
2019528650.tif 000116
【図９Ｔ】
2019528650.tif 000117
【図９Ｕ】
2019528650.tif 000118
【図９Ｖ】
2019528650.tif 000119
【図９Ｗ】
2019528650.tif 000120
【図９Ｘ】
2019528650.tif 000121
【図９Ｙ】
2019528650.tif 000122
【図９Ｚ】
2019528650.tif 000123
【図９ａ】
2019528650.tif 000124
【図９ｂ】
2019528650.tif 000125
【図９ｃ】
2019528650.tif 000126
【図９ｄ】
2019528650.tif 000127
【図９ｅ】
2019528650.tif 000128
【図９ｆ】
2019528650.tif 000129
【図１０Ａ】
2019528650.tif 000130
【図１０Ｂ】
2019528650.tif 000131
【図１０Ｃ】
2019528650.tif 000132
【図１０Ｄ】
2019528650.tif 000133
【図１０Ｅ】
2019528650.tif 000134
【図１０Ｆ】
2019528650.tif 000135
【図１０Ｇ】
2019528650.tif 000136
【図１０Ｈ】
2019528650.tif 000137
【図１１Ａ】
2019528650.tif 000138
【図１１Ｂ】
2019528650.tif 000139
【図１２】
2019528650.tif 000140
【図１３】
2019528650.tif 000141
【図１４】
2019528650.tif 000142
【図１５】
2019528650.tif 000143
【図１６】
2019528650.tif 000144
【国際調査報告】
2019528650.tif 000145
2019528650.tif 000146
2019528650.tif 000147
2019528650.tif 000148